(57)【要約】    【課題】  表示画面中に異常な輝度上昇が発生することを防止できる視野角制御型の表示装置、この表示装置が搭載された端末装置、前記表示装置に搭載される光源装置及び光学部材を提供する。    【解決手段】  表示装置２において、光源５１、導光板３、プリズムシート３１、透明・散乱切替素子１２２及び透過型液晶表示パネル７を設ける。透明・散乱切替素子１２２においては、２枚の透明基板１０９を相互に平行に且つ離隔して設け、各透明基板１０９の表面に電極１１０を設ける。また、透明基板１０９の外周部間には散乱シール材１０８を設け、透明基板１０９間における散乱シール材１０８によって封止された空間に、ＰＤＬＣ層１１１を封入する。散乱シール材１０８には、入射した光を散乱させて通過させる散乱性を持たせ、その散乱度を、散乱状態にあるときのＰＤＬＣ層１１１の散乱度と等しくする。【選択図】  図１４
2007071953.tif 000002
【特許請求の範囲】
【請求項１】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・散乱切替素子における前記シール材が配置されている領域が透明でないことを特徴とする表示装置。
【請求項２】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度と等しいことを特徴とする表示装置。
【請求項３】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度よりも大きいことを特徴とする表示装置。
【請求項４】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、少なくとも一方の前記透明基板における前記シール材と重なる領域が光を散乱させることを特徴とする表示装置。
【請求項５】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、少なくとも一方の前記透明基板の表面における前記シール材と重なる領域に凹凸形状が形成されていることを特徴とする表示装置。
【請求項６】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明でない散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記散乱両面粘着テープの形状は前記シール材の形状と同一であることを特徴とする表示装置。
【請求項７】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記散乱両面粘着テープの形状は前記シール材の形状と同一であり、前記散乱両面粘着テープの散乱度は前記散乱させる状態にある前記透明・散乱切替層の散乱度と同一であることを特徴とする表示装置。
【請求項８】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記散乱両面粘着テープの形状は前記シール材の形状と同一であり、前記散乱両面粘着テープの散乱度は前記散乱させる状態にある前記透明・散乱切替層の散乱度よりも大きいことを特徴とする表示装置。
【請求項９】
前記散乱両面粘着テープは前記透明・散乱切替素子と前記表示パネルとの間に配置されており、前記透明・散乱切替素子と前記表示パネルとが前記散乱両面粘着テープにより相互に固定されていることを特徴とする請求項６乃至８のいずれか１項に記載の表示装置。
【請求項１０】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・散乱両面粘着テープにおける前記シール材と重なる部分は光を散乱させ、前記透明・散乱切替層と重なる部分は透明であることを特徴とする表示装置。
【請求項１１】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度と同一であることを特徴とする表示装置。
【請求項１２】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度よりも大きいことを特徴とする表示装置。
【請求項１３】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有することを特徴とする表示装置。
【請求項１４】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有し、前記シール材の光学密度は、このシール材から出射する光の正面輝度が、前記散乱させる状態にある前記透明・散乱切替層から出射する光の正面輝度に等しくなるように設定されていることを特徴とする表示装置。
【請求項１５】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有し、前記シール材の光学密度は、このシール材から出射する光の正面輝度が、前記散乱させる状態にある前記透明・散乱切替層から出射する光の正面輝度よりも低くなるように設定されていることを特徴とする表示装置。
【請求項１６】
前記シール材は無彩色であることを特徴とする請求項１３乃至１５のいずれか１項に記載の表示装置。
【請求項１７】
前記シール材は黒色であることを特徴とする請求項１３乃至１５のいずれか１項に記載の表示装置。
【請求項１８】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、光を遮断する遮光層と、を有し、前記表示パネルの表面に垂直な方向から見て、前記遮光層の形状は前記シール材の形状と同一であることを特徴とする表示装置。
【請求項１９】
前記遮光層は、一方の前記透明基板における他方の前記透明基板に対向する面上に形成されていることを特徴とする請求項１８に記載の表示装置。
【請求項２０】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記吸光両面粘着テープの形状は前記シール材の形状と同一であることを特徴とする表示装置。
【請求項２１】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記吸光両面粘着テープの形状は前記シール材の形状と同一であり、前記吸光両面粘着テープの光学密度は、この吸光両面粘着テープから出射する光の正面輝度が、前記散乱させる状態にある前記透明・散乱切替層から出射する光の正面輝度と等しくなるように設定されていることを特徴とする表示装置。
【請求項２２】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記吸光両面粘着テープの形状は前記シール材の形状と同一であり、前記吸光両面粘着テープの光学密度は、この吸光両面粘着テープから出射する光の正面輝度が、前記散乱させる状態にある前記透明・散乱切替層から出射する光の正面輝度よりも低くなるように設定されていることを特徴とする表示装置。
【請求項２３】
前記吸光両面粘着テープは前記透明・散乱切替素子と前記表示パネルとの間に配置されており、前記透明・散乱切替素子と前記表示パネルとがこの吸光両面粘着テープによって相互に固定されていることを特徴とする請求項２０乃至２２のいずれか１項に記載の表示装置。
【請求項２４】
前記吸光両面粘着テープは無彩色であることを特徴とする請求項２０乃至２３のいずれか１項に記載の表示装置。
【請求項２５】
前記吸光両面粘着テープは黒色であることを特徴とする請求項２０乃至２３のいずれか１項に記載の表示装置。
【請求項２６】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・吸光両面粘着テープにおける前記シール材と重なる部分は光を吸収し、前記透明・散乱切替層と重なる部分は透明であることを特徴とする表示装置。
【請求項２７】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・吸光両面粘着テープにおける前記シール材と重なる部分は光を吸収し、前記透明・散乱切替層と重なる部分は透明であり、前記シール材と重なる部分の光学密度は、この部分から出射する光の正面輝度が、前記散乱させる状態にある前記透明・散乱切替層から出射する光の正面輝度と等しくなるように設定されていることを特徴とする表示装置。
【請求項２８】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・吸光両面粘着テープにおける前記シール材と重なる部分は光を吸収し、前記透明・散乱切替層と重なる部分は透明であり、前記シール材と重なる部分の光学密度は、この部分から出射する光の正面輝度が、前記散乱させる状態にある前記透明・散乱切替層から出射する光の正面輝度よりも低くなるように設定されていることを特徴とする表示装置。
【請求項２９】
前記透明・吸光両面粘着テープの前記シール材と重なる部分は無彩色であることを特徴とする請求項２６乃至２８のいずれか１項に記載の表示装置。
【請求項３０】
前記透明・吸光両面粘着テープの前記シール材と重なる部分は黒色であることを特徴とする請求項２６乃至２８のいずれか１項に記載の表示装置。
【請求項３１】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記シール材は、前記表示パネルの表示領域の外側に配置されていることを特徴とする表示装置。
【請求項３２】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記透明・散乱切替素子とを相互に固定するか又は前記透明・散乱切替素子と前記表示パネルとを相互に固定する両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記両面粘着テープは、前記表示パネルの表示領域の外側に配置されていることを特徴とする表示装置。
【請求項３３】
前記面状光源と前記透明・散乱切替素子との間に配置され、前記面状光源から出射した光の光線方向を規制する光線方向規制素子を有することを特徴とする請求項１乃至３２のいずれか１項に記載の表示装置。
【請求項３４】
光を面状に出射する面状光源と、この面状光源から出射した光の光線方向を規制する光線方向規制素子と、この光線方向規制素子から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記光線方向規制素子の表面における前記シール材と重なる領域には凹凸形状が形成されていることを特徴とする表示装置。
【請求項３５】
前記透明・散乱切替素子が前記散乱させる状態である場合には、前記透明・散乱切替素子が前記透過させる状態である場合よりも、前記面状光源の光量を大きくすることにより、前記表示パネルに表示される画像の正面の明るさが一定になるように調整されるものであることを特徴とする請求項１乃至３４のいずれか１項に記載の表示装置。
【請求項３６】
前記表示パネルが液晶パネルであることを特徴とする請求項１乃至３５のいずれか１項に記載の表示装置。
【請求項３７】
前記液晶パネルは、横電界モード、マルチドメイン垂直配向モード又はフィルム補償ＴＮモードの液晶パネルであることを特徴とする請求項３６に記載の表示装置。
【請求項３８】
光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記面状光源から前記表示パネルまでの光路における前記シール材が介在する領域の光の透過率が、前記透明・散乱切替層が介在する領域における前記透明・散乱切替層が前記透過させる状態にあるときの光の透過率よりも低いことを特徴とする表示装置。
【請求項３９】
前記シール材が光を散乱させるものであることを特徴とする請求項３８に記載の表示装置。
【請求項４０】
前記シール材が光を吸収するものであることを特徴とする請求項３８に記載の表示装置。
【請求項４１】
前記表示パネルを前記透明・散乱切替素子に接着する両面粘着テープを有し、この両面粘着テープにおける前記光路の前記シール材が介在する領域に介在する部分が光を散乱させるものであることを特徴とする請求項３８に記載の表示装置。
【請求項４２】
前記表示パネルを前記透明・散乱切替素子に接着する両面粘着テープを有し、この両面粘着テープにおける前記光路の前記シール材が介在する領域に介在する部分が光を吸収するものであることを特徴とする請求項３８に記載の表示装置。
【請求項４３】
前記面状光源は、光源と、この光源から入射した光を面状に出射する導光部材と、を有することを特徴とする請求項１乃至４２のいずれか１項に記載の表示装置。
【請求項４４】
請求項１乃至４３のいずれか１項に記載の表示装置を有することを特徴とする端末装置。
【請求項４５】
携帯電話、個人用情報端末、ゲーム機、デジタルカメラ、ビデオカメラ、ビデオプレーヤ、ノート型パーソナルコンピュータ、キャッシュディスペンサ又は自動販売機であることを特徴とする請求項４４に記載の端末装置。
【請求項４６】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱切替素子における前記シール材が配置されている領域が透明でないことを特徴とする光源装置。
【請求項４７】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度と等しいことを特徴とする光源装置。
【請求項４８】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度よりも大きいことを特徴とする光源装置。
【請求項４９】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、少なくとも一方の前記透明基板における前記シール材と重なる領域が光を散乱させることを特徴とする光源装置。
【請求項５０】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、少なくとも一方の前記透明基板の表面における前記シール材と重なる領域に凹凸形状が形成されていることを特徴とする光源装置。
【請求項５１】
光を面状に出射する面状光源と、この面状光源から出射した光を透過させる状態と散乱させる状態とに切替可能な透明・散乱切替素子と、前記面状光源の光出射面側に配置され透明でない散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であることを特徴とする光源装置。
【請求項５２】
光を面状に出射する面状光源と、この面状光源から出射した光を透過させる状態と散乱させる状態とに切替可能な透明・散乱切替素子と、前記面状光源の光出射面側に配置され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であり、前記散乱両面粘着テープの散乱度は前記散乱させる状態にある前記透明・散乱切替層の散乱度と同一であることを特徴とする光源装置。
【請求項５３】
光を面状に出射する面状光源と、この面状光源から出射した光を透過させる状態と散乱させる状態とに切替可能な透明・散乱切替素子と、前記面状光源の光出射面側に配置され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であり、前記散乱両面粘着テープの散乱度は前記散乱させる状態にある前記透明・散乱切替層の散乱度よりも大きいことを特徴とする光源装置。
【請求項５４】
光を面状に出射する面状光源と、この面状光源から出射した光を透過させる状態と散乱させる状態とに切替可能な透明・散乱切替素子と、前記面状光源の光出射面側に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であることを特徴とする光源装置。
【請求項５５】
光を面状に出射する面状光源と、この面状光源から出射した光を透過させる状態と散乱させる状態とに切替可能な透明・散乱切替素子と、前記面状光源の光出射面側に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度と同一であることを特徴とする光源装置。
【請求項５６】
光を面状に出射する面状光源と、この面状光源から出射した光を透過させる状態と散乱させる状態とに切替可能な透明・散乱切替素子と、前記面状光源の光出射面側に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度よりも大きいことを特徴とする光源装置。
【請求項５７】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有することを特徴とする光源装置。
【請求項５８】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有し、前記シール材の光学密度は、このシール材から出射する光の正面輝度が、前記散乱させる状態にある前記透明・散乱切替層から出射する光の正面輝度に等しくなるように設定されていることを特徴とする光源装置。
【請求項５９】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有し、前記シール材の光学密度は、このシール材から出射する光の正面輝度が、前記散乱させる状態にある前記透明・散乱切替層から出射する光の正面輝度よりも低くなるように設定されていることを特徴とする光源装置。
【請求項６０】
前記シール材は無彩色であることを特徴とする請求項５７乃至５９のいずれか１項に記載の光源装置。
【請求項６１】
前記シール材は黒色であることを特徴とする請求項５７乃至５９のいずれか１項に記載の光源装置。
【請求項６２】
光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、光を遮断する遮光層と、を有し、前記透明・散乱切替素子の表面に垂直な方向から見て、前記遮光層の形状は前記シール材の形状と同一であることを特徴とする光源装置。
【請求項６３】
前記遮光層は、一方の前記透明基板における他方の前記透明基板に対向する面上に形成されていることを特徴とする請求項６２に記載の光源装置。
【請求項６４】
光を面状に出射する面状光源と、この面状光源から出射した光を透過させる状態と散乱させる状態とに切替可能な透明・散乱切替素子と、前記面状光源の光出射面側に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記吸光両面粘着テープの形状は前記シール材の形状と同一であることを特徴とする光源装置。
【請求項６５】
光を面状に出射する面状光源と、この面状光源から出射した光を透過させる状態と散乱させる状態とに切替可能な透明・散乱切替素子と、前記面状光源の光出射面側に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記吸光両面粘着テープの形状は前記シール材の形状と同一であり、前記吸光両面粘着テープの光学密度は、この吸光両面粘着テープから出射する光の正面輝度が、前記散乱させる状態にある前記透明・散乱切替層から出射する光の正面輝度と等しくなるように設定されていることを特徴とする光源装置。
【請求項６６】
光を面状に出射する面状光源と、この面状光源から出射した光を透過させる状態と散乱させる状態とに切替可能な透明・散乱切替素子と、前記面状光源の光出射面側に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記吸光両面粘着テープの形状は前記シール材の形状と同一であり、前記吸光両面粘着テープの光学密度は、この吸光両面粘着テープから出射する光の正面輝度が、前記散乱させる状態にある前記透明・散乱切替層から出射する光の正面輝度よりも低くなるように設定されていることを特徴とする光源装置。
【請求項６７】
前記吸光両面粘着テープは無彩色であることを特徴とする請求項６４乃至６６のいずれか１項に記載の光源装置。
【請求項６８】
前記吸光両面粘着テープは黒色であることを特徴とする請求項６４乃至６６のいずれか１項に記載の光源装置。
【請求項６９】
光を面状に出射する面状光源と、この面状光源から出射した光を透過させる状態と散乱させる状態とに切替可能な透明・散乱切替素子と、前記面状光源の光出射面側に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・吸光両面粘着テープにおける前記シール材と重なる部分は光を吸収し、前記透明・散乱切替層と重なる部分は透明であることを特徴とする光源装置。
【請求項７０】
光を面状に出射する面状光源と、この面状光源から出射した光を透過させる状態と散乱させる状態とに切替可能な透明・散乱切替素子と、前記面状光源の光出射面側に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・吸光両面粘着テープにおける前記シール材と重なる部分は光を吸収し、前記透明・散乱切替層と重なる部分は透明であり、前記シール材と重なる部分の光学密度は、この部分から出射する光の正面輝度が、前記散乱させる状態にある前記透明・散乱切替層から出射する光の正面輝度と等しくなるように設定されていることを特徴とする光源装置。
【請求項７１】
光を面状に出射する面状光源と、この面状光源から出射した光を透過させる状態と散乱させる状態とに切替可能な透明・散乱切替素子と、前記面状光源の光出射面側に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・吸光両面粘着テープにおける前記シール材と重なる部分は光を吸収し、前記透明・散乱切替層と重なる部分は透明であり、前記シール材と重なる部分の光学密度は、この部分から出射する光の正面輝度が、前記散乱させる状態にある前記透明・散乱切替層から出射する光の正面輝度よりも低くなるように設定されていることを特徴とする光源装置。
【請求項７２】
前記透明・吸光両面粘着テープの前記シール材と重なる部分は無彩色であることを特徴とする請求項６９乃至７１のいずれか１項に記載の光源装置。
【請求項７３】
前記透明・吸光両面粘着テープの前記シール材と重なる部分は黒色であることを特徴とする請求項６９乃至７１のいずれか１項に記載の光源装置。
【請求項７４】
前記面状光源と前記透明・散乱切替素子との間に配置され、前記面状光源から出射した光の光線方向を規制する光線方向規制素子を有することを特徴とする請求項４６乃至７３のいずれか１項に記載の光源装置。
【請求項７５】
光を面状に出射する面状光源と、この面状光源から出射した光の光線方向を規制する光線方向規制素子と、この光線方向規制素子から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記光線方向規制素子の表面における前記シール材と重なる領域には凹凸形状が形成されていることを特徴とする光源装置。
【請求項７６】
前記面状光源は、光源と、この光源から入射した光を面状に出射する導光部材と、を有することを特徴とする請求項４６乃至７５のいずれか１項に記載の光源装置。
【請求項７７】
入射した光を透過させる状態と散乱させる状態とに切替可能な透明・散乱切替素子を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度と等しいことを特徴とする光学部材。
【請求項７８】
入射した光を透過させる状態と散乱させる状態とに切替可能な透明・散乱切替素子を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度よりも大きいことを特徴とする光学部材。
【請求項７９】
入射した光を透過させる状態と散乱させる状態とに切替可能な透明・散乱切替素子を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、少なくとも一方の前記透明基板における前記シール材と重なる領域が光を散乱させることを特徴とする光学部材。
【請求項８０】
入射した光を透過させる状態と散乱させる状態とに切替可能な透明・散乱切替素子と、を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、少なくとも一方の前記透明基板の表面における前記シール材と重なる領域に凹凸形状が形成されていることを特徴とする光学部材。
【請求項８１】
入射した光を透過させる状態と散乱させる状態とに切替可能な透明・散乱切替素子と、この透明・散乱切替素子に貼付され透明でない散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であることを特徴とする光学部材。
【請求項８２】
入射した光を透過させる状態と散乱させる状態とに切替可能な透明・散乱切替素子と、この透明・散乱切替素子に貼付され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であり、前記散乱両面粘着テープの散乱度は前記散乱させる状態にある前記透明・散乱切替層の散乱度と同一であることを特徴とする光学部材。
【請求項８３】
入射した光を透過させる状態と散乱させる状態とに切替可能な透明・散乱切替素子と、この透明・散乱切替素子に貼付され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であり、前記散乱両面粘着テープの散乱度は前記散乱させる状態にある前記透明・散乱切替層の散乱度よりも大きいことを特徴とする光学部材。
【請求項８４】
入射した光を透過させる状態と散乱させる状態とに切替可能な透明・散乱切替素子と、この透明・散乱切替素子に貼付された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であることを特徴とする光学部材。
【請求項８５】
入射した光を透過させる状態と散乱させる状態とに切替可能な透明・散乱切替素子と、この透明・散乱切替素子に貼付された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度と同一であることを特徴とする光学部材。
【請求項８６】
入射した光を透過させる状態と散乱させる状態とに切替可能な透明・散乱切替素子と、この透明・散乱切替素子に貼付された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度よりも大きいことを特徴とする光学部材。
【請求項８７】
入射した光を透過させる状態と散乱させる状態とに切替可能な透明・散乱切替素子を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有することを特徴とする光学部材。
【請求項８８】
前記シール材は無彩色であることを特徴とする請求項８７に記載の光学部材。
【請求項８９】
前記シール材は黒色であることを特徴とする請求項８７に記載の光学部材。
【請求項９０】
入射した光を透過させる状態と散乱させる状態とに切替可能な透明・散乱切替素子を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、光を遮断する遮光層と、を有し、前記透明・散乱切替素子の表面に垂直な方向から見て、前記遮光層の形状は前記シール材の形状と同一であることを特徴とする光学部材。
【請求項９１】
前記遮光層は、一方の前記透明基板における他方の前記透明基板に対向する面上に形成されていることを特徴とする請求項９０に記載の光学部材。
【請求項９２】
入射した光を透過させる状態と散乱させる状態とに切替可能な透明・散乱切替素子と、この透明・散乱切替素子に貼付され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記吸光両面粘着テープの形状は前記シール材の形状と同一であることを特徴とする光学部材。
【請求項９３】
前記吸光両面粘着テープは無彩色であることを特徴とする請求項９２に記載の光学部材。
【請求項９４】
前記吸光両面粘着テープは黒色であることを特徴とする請求項９２に記載の光学部材。
【請求項９５】
入射した光を透過させる状態と散乱させる状態とに切替可能な透明・散乱切替素子と、この透明・散乱切替素子に貼付された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・吸光両面粘着テープにおける前記シール材と重なる部分は光を吸収し、前記透明・散乱切替層と重なる部分は透明であることを特徴とする光学部材。
【請求項９６】
前記透明・吸光両面粘着テープの前記シール材と重なる部分は無彩色であることを特徴とする請求項９５に記載の光学部材。
【請求項９７】
前記透明・吸光両面粘着テープの前記シール材と重なる部分は黒色であることを特徴とする請求項９５に記載の光学部材。
【請求項９８】
入射した光の光線方向を規制する光線方向規制素子を有し、前記光線方向規制素子の表面における外周部には凹凸形状が形成されていることを特徴とする光学部材。
【請求項９９】
入射した光の光線方向を規制する光線方向規制素子と、この光線方向規制素子から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記光線方向規制素子の表面における前記シール材と重なる領域には凹凸形状が形成されていることを特徴とする光学部材。
【発明の詳細な説明】
【技術分野】
【０００１】
本発明は、視野角を切替えることができる表示装置、この表示装置が搭載された端末装置、前記表示装置に搭載される光源装置及び光学部材に関する。
【背景技術】
【０００２】
近時、薄型、軽量、小型、低消費電力等の利点から、液晶を使用した表示装置は、モニタ及びテレビジョン（ＴＶ：Television）等の大型の端末装置から、ノート型パーソナルコンピュータ、キャッシュディスペンサ及び自動販売機等の中型の端末装置、またパーソナルＴＶ、ＰＤＡ（Personal Digital Assistance：個人用情報端末）、携帯電話及び携帯ゲーム機等の小型の端末装置にまで広く搭載され、使用されている。これらの液晶表示装置は、使用する光源の種類に応じて、透過型、反射型、透過光と反射光とを併用する半透過型に大別できる。反射型は、表示に外光を利用できるため低消費電力化が可能であるが、透過型と比較するとコントラスト等の表示性能が劣るため、現在では透過型及び半透過型が液晶表示装置の主流となっている。透過型及び半透過型の液晶表示装置では、液晶パネルの背面に光源装置を設置し、その光源装置が発する光を利用して表示を実現している。即ち、現在主流の液晶表示装置では、液晶パネルの他に光源装置が必須となっている。
【０００３】
液晶表示装置の主要構成部品である液晶パネルは、液晶分子の配向状態を電界により制御して情報を表示するが、液晶分子の種類、初期配向状態及び電界の方向等の組み合わせにより多数のモードが提案されている。これらのモードのうち、従来の端末装置に最も良く使用されるモードには、単純マトリクス構造によるＳＴＮ（Super Twisted Nematic）モード及びアクティブマトリクス構造によるＴＮ（Twisted Nematic）モードがあるが、これらのモードの液晶パネルは階調を正しく視認できる角度範囲が狭く、最適な観察位置から外れると階調反転が発生してしまう。
【０００４】
この階調反転の問題は、表示内容が電話番号等の文字主体の内容であった頃の携帯電話等の端末装置では大きな問題とならなかった。しかし、近年の技術進展により、端末装置が文字情報だけでなく画像情報も多く表示するようになったため、階調反転によって画像の視認性が著しく低下する点が問題になっている。このため、階調反転が発生せず階調を正しく視認できる視野角度範囲が広いモードの液晶パネルが、徐々に端末装置へ搭載されつつある。このようなモードの液晶パネルは、一般に広視野角液晶パネルと総称され、ＩＰＳ（イン・プレイン・スイッチング）方式等の横電界モード及びマルチドメイン垂直配向モード等が実用化されている。これらの広視野角液晶パネルの使用により広い視野角度範囲で正しい階調が視認できるため、中小型の端末装置は基本的にパーソナルツールでありながらも、複数人で同時に鑑賞し他人と情報を共有するアプリケーションが開発され、徐々に搭載されつつある。
【０００５】
一方で、中小型の端末装置はその性格上、秘密保持が厳重になされた密室の中だけではなく公共の場でも使用される。このとき、プライバシー情報及び秘密情報の表示に対しては、第三者の眼に触れない秘密保持が必要となる。特に近時、端末装置の進展に伴い、プライバシー情報及び秘密情報を表示する機会が増加し、覗き見防止技術への要望が強まっている。そこで、表示を視認できる角度範囲、即ち、視野角度範囲を狭くすることにより使用者のみが視認でき、覗き見を防止できる技術の実現が望まれている。
【０００６】
上述の如く、視認角度範囲が広く複数人で同時に鑑賞できる表示と、視認角度範囲が狭く使用者のみが視認できる表示の実現が夫々望まれており、一つの端末装置がこれらの二種類の表示を切り替えて実現できることが望ましい。そこで、このような要求を満たすために、液晶表示装置に必須である光源装置に工夫を施し、視認角度範囲を変更可能にした表示装置が提案されている。
【０００７】
図２４は、特許文献１に記載されている従来の第１の視野角制御型液晶表示装置を模式的に示す断面図である。図２４に示すように、従来の第１の視野角制御型液晶表示装置１００１は、散乱を制御できる液晶素子１１７０と、旋光性及び複屈折性を制御できる液晶素子１１８０とから構成されている。散乱を制御できる液晶素子１１７０は、可視域で光学的に透明な基板１１１０及び１１１１と、透明電極１１２０及び１１２１と、散乱モードの液晶１１３０と、電圧供給源１１００と、スイッチ１１９０とから構成されている。旋光性及び複屈折性を制御できる液晶素子１１８０は、可視域で光学的に透明な基板１１１１及び１１１２と、透明電極１１２２及び１１２３と、偏光子１１４０及び１１４１と、配向膜１１５０及び１１５１と、旋光性及び複屈折性を持つ液晶層１１６０と、電圧供給源１１０１と、スイッチ１１９１とから構成されている。散乱モードの液晶１１３０としてはポリマー分散液晶を、また旋光性、複屈折性を制御できる液晶素子１１８０としてはＴＮ液晶を夫々使用している。偏光子１１４０及び１１４１は直交ニコルで配置されている。
【０００８】
このように構成された特許文献１に記載の従来の第１の視野角制御型液晶表示装置においては、透明電極１１２２と透明電極１１２３との間に電圧を印加することにより、液晶層１１６０の旋光性、複屈折性を変化させ、この変化を利用して光の透過率を制御することができる。このような旋光性、複屈折性を利用した表示モードにおいては、視角方向により実質的に入射光が受ける旋光性及び複屈折性が異なるために、視角に依存して輝度、色相が低減又は反転する現象が起こる。そこで、このような視角依存性のある液晶素子１１８０の上部に散乱を制御できる液晶素子１１７０を配置し、視角依存性を低減する。即ち、散乱を制御できる液晶素子１１７０の液晶１１３０に電界を印加しない場合には、液晶分子がランダムに配列しているために、全視角にわたってほぼ等方的に散乱され、視角依存性の少ない表示を得ることができる。また、液晶１１３０に電界を印加としたときには、印加電界により液晶分子は電界にほぼ平行に配列するために、液晶素子１１８０からの出射光は、液晶分子により散乱されることなく、そのまま出射される。このとき視覚特性が良くなることはないが、ユーザー一人のみが正しく視認できればよいときには、従来のＴＮ液晶の視角特性に近いものとして、他人に正しく視認されることなく、ユーザーは使用することができる。
【０００９】
図２５は、特許文献２に記載されている従来の第２の視野角制御型液晶表示装置を模式的に示す断面図であり、図２６は、この視野角制御型液晶表示装置に使用される照明装置を模式的に示す斜視図である。図２５に示すように、従来の第２の視野角制御型液晶表示装置２１０１は、液晶表示素子２１０２と、散乱性制御素子（散乱性制御手段）２１０３と、照明装置（バックライト）２１０４とから構成されている。散乱性制御素子２１０３は、液晶表示素子２１０２と照明装置２１０４との間に配置されている。図２６に示すように、照明装置２１０４は、散乱性制御素子２１０３の基板側に配置され、遮光スリット付シート（透光性シート体）２１２０、及び照射部２１２１を備えている。照射部２１２１には、蛍光管等の光源２１２２が設けられており、光源２１２２からの光を出射させて遮光スリット付シート２１２０に導くための光出射面２１２３が形成されている。照射部２１２１における光出射面２１２３と対向する面には、光源２１２２から出射した光を反射させるため反射シート２１２４が設けられている。遮光スリット付シート２１２０は、透光性を有するシートの一方の面に線状の遮光材が互いに平行に多数配置されている。遮光材が延設される方向は、表示画面の垂直方向に一致している。
【００１０】
このように構成された特許文献２に記載の従来の第２の視野角制御型液晶表示装置においては、光源２１２２から発した光は、照射部２１２１の光出射面２１２３から出射され、遮光スリット付シート２１２０を介して散乱性制御素子２１０３に照射される。遮光スリット付シート２１２０は、光出射面２１２３より出射する光がこの遮光スリット付シート２１２０を透過するときに、遮光スリット付シート２１２０の光入射面に対して大きく傾斜した方向から入射する光を遮断する。これにより、この遮光スリット付シート２１２０の面と垂直な方向に平行度の高い透過光が得られる。照明装置２１０４から出射した光は、散乱性制御素子２１０３に入射する。散乱性制御素子２１０３は、印加電圧の有無に応じて入射した光線の散乱性を制御する。散乱制御素子２１０３が散乱状態にある場合には、照明装置２１０４から出射した光は散乱制御素子２１０３により散乱され、散乱制御素子２１０３が透明状態にある場合には、照明装置２１０４からの光は散乱されない。
【００１１】
上述の従来の第２の視野角制御型液晶表示装置２１０１においては、散乱性制御素子２１０３が散乱状態であるとき、照明装置２１０４から出射した平行度が高い光は、散乱性制御素子２１０３により散乱されて液晶表示素子２１０２に入射する。この結果、液晶表示素子２１０２を通過した光は、表示部の全視角方向に抜けて行き、表示部に正対する位置以外の位置からも表示内容の認識が可能となる。これに対して、散乱性制御素子２１０３が透明状態であるとき、照明装置２１０４からの平行度の高い光は、散乱性制御素子２１０３によって散乱されず、平行度の高い光のまま液晶表示素子２１０２に入射する。この結果、表示部を水平方向の左右より斜めに見る位置からでは、光が透過せず真っ暗になり、表示内容の認識が不可能となる。換言すれば、表示部に正対する観察者だけが表示内容を認識できる。
【００１２】
以上のように、従来の第２の視野角制御型液晶表示装置２１０１は、散乱性制御素子２１０３によって光の散乱性を制御できるため、表示内容の視野角特性を制御できる。また、照明装置２１０４によって平行度が高い光を液晶表示素子２１０２に向けて出射することができるため、散乱性制御素子２１０３が透明状態におかれるとき、表示画面に正対する観察者だけが表示内容を認識できる視野角特性を確実に得ることができる。従って、表示特性の視野角依存性が少なく、全視角方向にわたって表示特性が均一に保たれる状態と、表示画面に正対する位置からのみ表示内容を認識できる状態とを任意に切り替えることが可能な液晶表示装置が得られる。
【００１３】
このように、従来より、散乱性を制御する散乱性制御素子を使用して表示装置の視野角特性を制御し、視認角度範囲が広く複数人で同時に鑑賞できる表示と、視認角度範囲が狭く使用者のみが視認できる表示とを切り替えて使用できる表示装置が提案されている。
【００１４】
【特許文献１】特開平５−７２５２９号公報
【特許文献２】特開平９−２４４０１８号公報
【発明の開示】
【発明が解決しようとする課題】
【００１５】
しかしながら、上述の従来の技術には、以下に示すような問題点がある。従来の視野角制御型液晶表示装置においては、表示画面中の一部の領域で、異常な輝度上昇が発生し、表示品質が低下することがある。即ち、表示装置によっては、表示画面の一部が異常に明るくなってしまう。
【００１６】
本発明はかかる問題点に鑑みてなされたものであって、表示画面中に異常な輝度上昇が発生することを防止できる視野角制御型の表示装置、この表示装置が搭載された端末装置、前記表示装置に搭載される光源装置及び光学部材を提供することを目的とする。
【課題を解決するための手段】
【００１７】
本願第１発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・散乱切替素子における前記シール材が配置されている領域が透明でないことを特徴とする。
【００１８】
本発明においては、透明・散乱切替素子と表示パネルとの間に位置ずれが発生し、透明・散乱切替素子におけるシール材が配置されている領域を通過した光が表示パネルの表示領域に入射しても、この領域は透明でないためこの領域を通過した光の輝度はこの領域を通過する前よりも低下する。このため、表示画面に異常な輝度上昇部が発生する現象を緩和でき、位置ずれに起因する表示品質の低下を抑制できる。
【００１９】
本願第２発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度と等しいことを特徴とする。
【００２０】
本発明においては、シール材の散乱度は散乱状態にある透明・散乱切替層の散乱度と同等に設定されているため、表示画面に異常な輝度上昇部が発生することがなく、位置ずれに起因する表示品質の低下が発生しない。このため、良好な表示品質が得られる。
【００２１】
本願第３発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度よりも大きいことを特徴とする。
【００２２】
本発明においては、シール材部ではより正面方向の輝度を低下させることができるため、より確実に異常な輝度上昇部が発生する現象を低減できる。
【００２３】
本願第４発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、少なくとも一方の前記透明基板における前記シール材と重なる領域が光を散乱させることを特徴とする。
【００２４】
本願第５発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、少なくとも一方の前記透明基板の表面における前記シール材と重なる領域に凹凸形状が形成されていることを特徴とする。
【００２５】
本願第６発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明でない散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記散乱両面粘着テープの形状は前記シール材の形状と同一であることを特徴とする。
【００２６】
本発明においては、広視野角表示時に表示画面に異常な輝度上昇部が発生する現象を緩和でき、位置ずれに起因する表示品質の低下を抑制できるため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と表示パネルの表示領域を認識し、両者にずれが生じないような高精度な位置合わせは不要になり、例えば単なる外形のみでの位置合わせが可能となるため、製造コストの低減が可能になる。更に、透明・散乱切替素子のシール材に透明なものを使用できるため、シール材の選択肢を多様化でき、信頼性など他の点でより優れた性能を有するシール材を適用することも可能になる。
【００２７】
本願第７発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記散乱両面粘着テープの形状は前記シール材の形状と同一であり、前記散乱両面粘着テープの散乱度は前記散乱させる状態にある前記透明・散乱切替層の散乱度と同一であることを特徴とする。
【００２８】
本発明においては、散乱両面粘着テープの散乱度は散乱状態にある透明・散乱切替素子の散乱度と同等に設定されているため、表示画面に異常な輝度上昇部が発生することがなく、位置ずれに起因する表示品質の低下が発生しないため、良好な表示品質が得られる。
【００２９】
本願第８発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記散乱両面粘着テープの形状は前記シール材の形状と同一であり、前記散乱両面粘着テープの散乱度は前記散乱させる状態にある前記透明・散乱切替層の散乱度よりも大きいことを特徴とする。
【００３０】
本発明においては、シール材部ではより正面方向の輝度を低下させることができるため、より確実に異常な輝度上昇部が発生する現象を低減できる。
【００３１】
また、前記散乱両面粘着テープは前記透明・散乱切替素子と前記表示パネルとの間に配置されており、前記透明・散乱切替素子と前記表示パネルとが前記散乱両面粘着テープにより相互に固定されていてもよい。これにより、表示パネルと透明・散乱切替素子の耐衝撃性を向上させることができる。
【００３２】
本願第９発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・散乱両面粘着テープにおける前記シール材と重なる部分は光を散乱させ、前記透明・散乱切替層と重なる部分は透明であることを特徴とする。
【００３３】
本発明においては、広視野角表示時に表示画面に異常な輝度上昇部が発生する現象を緩和でき、位置ずれに起因する表示品質の低下を抑制できるため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と表示パネルの表示領域を認識し、両者にずれが生じないような高精度な位置合わせは不要になり、例えば単なる外形のみでの位置合わせが可能となるため、製造コストの低減が可能になる。また、透明・散乱切替素子のシール材に透明なものを使用できるため、シール材の選択肢を多様化でき、信頼性など他の点でより優れた性能を有するシール材を適用することも可能になる。更にまた、透明・散乱切替素子と表示パネルが透明・散乱両面粘着テープにより全面で貼合されているため、機械的な衝撃に対して強い。また、表示領域においても、透明・散乱両面粘着テープの透明部により光学的に密着されているため、透明・散乱切替素子の表面及び表示パネルの表面で発生する光の反射損失を低減することができる。
【００３４】
本願第１０発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度と同一であることを特徴とする。
【００３５】
本発明においては、透明・散乱両面粘着テープの散乱領域の散乱度は散乱状態にある透明・散乱切替素子の散乱度と同等に設定されているため、表示画面に異常な輝度上昇部が発生することがなく、位置ずれに起因する表示品質の低下が発生しない。このため、良好な表示品質が得られる。
【００３６】
本願第１１発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度よりも大きいことを特徴とする。
【００３７】
本発明においては、シール材部ではより正面方向の輝度を低下させることができるため、より確実に異常な輝度上昇部が発生する現象を低減できる。
【００３８】
本願第１２発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有することを特徴とする。
【００３９】
本発明においては、表示画面に異常な輝度上昇部が発生する現象を緩和でき、位置ずれに起因する表示品質の低下を抑制できるため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と表示パネルの表示領域を認識し、両者にずれが生じないような高精度な位置合わせは不要になり、例えば単なる外形のみでの位置合わせが可能となるため、製造コストの低減が可能になる。また、吸光シール材が光散乱性を有さないため、特に狭視野状態における斜め方向への光漏れを防止する効果も有する。
【００４０】
本願第１３発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有し、前記シール材の光学密度は、このシール材から出射する光の正面輝度が、前記散乱させる状態にある前記透明・散乱切替層から出射する光の正面輝度に等しくなるように設定されていることを特徴とする。
【００４１】
本発明においては、前記透明・散乱切替素子のシール材の光学濃度が拡散状態にある透明・散乱切替素子上の正面方向の輝度と同等になるように設定されているため、表示画面に異常な輝度上昇部が発生することがなく、位置ずれに起因する表示品質の低下が発生しないため、良好な表示品質が得られる。
【００４２】
本願第１４発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有し、前記シール材の光学密度は、このシール材から出射する光の正面輝度が、前記散乱させる状態にある前記透明・散乱切替層から出射する光の正面輝度よりも低くなるように設定されていることを特徴とする。
【００４３】
本発明においては、シール材部ではより正面方向の輝度を低下させることができるため、より確実に異常な輝度上昇部が発生する現象を抑制できる。
【００４４】
また、前記シール材は無彩色であってもよい。これにより、表示画面に異常な色付きが発生することを防止できる。
【００４５】
又は、前記シール材は黒色であってもよい。これにより、より確実に異常な輝度上昇部が発生する現象を防止できる。
【００４６】
本願第１５発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、光を遮断する遮光層と、を有し、前記表示パネルの表面に垂直な方向から見て、前記遮光層の形状は前記シール材の形状と同一であることを特徴とする。
【００４７】
本発明においては、広視野角表示時に表示画面に異常な輝度上昇部が発生する現象を防止でき、位置ずれに起因する表示品質の低下を抑制できるため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と表示パネルの表示領域を認識し、両者にずれが生じないような高精度な位置合わせは不要になり、例えば単なる外形のみでの位置合わせが可能となるため、製造コストの低減が可能になる。また、透明・散乱切替素子のシール材に透明なものを使用できるため、シール材の選択肢を多様化でき、信頼性など他の点でより優れた性能を有するシール材を適用することも可能になる。また、特別な両面テープが不要になるため、部材の選択肢を多様化でき、接着性など他の点でより優れた性能を有するテープを適用することも可能になる。更に狭視野状態における斜め方向への光漏れを防止する効果も有する。
【００４８】
また、前記遮光層は、一方の前記透明基板における他方の前記透明基板に対向する面上に形成されていることが好ましい。これにより、透明・散乱切替素子を作製する際に必要なマークと同時に形成できるため、素子の低コスト化が可能になる。
【００４９】
本願第１６発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記吸光両面粘着テープの形状は前記シール材の形状と同一であることを特徴とする。
【００５０】
本発明においては、広視野角表示時に表示画面に異常な輝度上昇部が発生する現象を低減でき、位置ずれに起因する表示品質の低下を抑制できるため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と表示パネルの表示領域を認識し、両者にずれが生じないような高精度な位置合わせは不要になり、例えば単なる外形のみでの位置合わせが可能となるため、製造コストの低減が可能になる。また、透明・散乱切替素子のシール材に透明なものを使用できるため、シール材の選択肢を多様化でき、信頼性など他の点でより優れた性能を有するシール材を適用することも可能になる。また、特別な両面テープが不要になるため、部材の選択肢を多様化でき、接着性など他の点でより優れた性能を有するテープを適用することも可能になる。更に狭視野状態における斜め方向への光漏れを防止する効果も有する。
【００５１】
本願第１７発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記吸光両面粘着テープの形状は前記シール材の形状と同一であり、前記吸光両面粘着テープの光学密度は、この吸光両面粘着テープから出射する光の正面輝度が、前記散乱させる状態にある前記透明・散乱切替層から出射する光の正面輝度と等しくなるように設定されていることを特徴とする。
【００５２】
本発明においては、吸光両面粘着テープの光学濃度が散乱度が拡散状態にある透明・散乱切替素子上の正面方向の輝度と同等になるように設定されているため、表示画面に異常な輝度上昇部が発生することがなく、位置ずれに起因する表示品質の低下が発生しないため、良好な表示品質が得られる。
【００５３】
本願第１８発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記吸光両面粘着テープの形状は前記シール材の形状と同一であり、前記吸光両面粘着テープの光学密度は、この吸光両面粘着テープから出射する光の正面輝度が、前記散乱させる状態にある前記透明・散乱切替層から出射する光の正面輝度よりも低くなるように設定されていることを特徴とする。
【００５４】
本発明においては、シール材部ではより正面方向の輝度を低下させることができるため、より確実に異常な輝度上昇部が発生する現象を低減できる。
【００５５】
また、前記吸光両面粘着テープは前記透明・散乱切替素子と前記表示パネルとの間に配置されており、前記透明・散乱切替素子と前記表示パネルとがこの吸光両面粘着テープによって相互に固定されていてもよい。これにより、表示パネル及び透明・散乱切替素子の耐衝撃性を向上させることができる。
【００５６】
更にまた、前記吸光両面粘着テープは無彩色であってもよい。これにより、表示画面に異常な色付きが発生することを防止できる。
【００５７】
又は、前記吸光両面粘着テープが黒色であってもよい。これにより、より確実に異常な輝度上昇部が発生する現象を抑制できる。
【００５８】
本願第１９発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・吸光両面粘着テープにおける前記シール材と重なる部分は光を吸収し、前記透明・散乱切替層と重なる部分は透明であることを特徴とする。
【００５９】
本発明においては、広視野角表示時に表示画面に異常な輝度上昇部が発生する現象を緩和でき、位置ずれに起因する表示品質の低下を抑制できるため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と表示パネルの表示領域を認識し、両者にずれが生じないような高精度な位置合わせは不要になり、例えば単なる外形のみでの位置合わせが可能となるため、製造コストの低減が可能になる。また、透明・散乱切替素子のシール材に透明なものを使用できるため、シール材の選択肢を多様化でき、信頼性など他の点でより優れた性能を有するシール材を適用することも可能になる。更にまた、透明・散乱切替素子と表示パネルが透明・吸光両面粘着テープにより全面で貼合されているため、機械的な衝撃に対して強い。また、表示領域においても、透明・吸光両面粘着テープの透明部により光学的に密着されているため、透明・散乱切替素子の表面や、表示パネルの表面で発生する光の反射損失を低減することができる。更に狭視野状態における斜め方向への光漏れを防止する効果も有する。
【００６０】
本願第２０発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・吸光両面粘着テープにおける前記シール材と重なる部分は光を吸収し、前記透明・散乱切替層と重なる部分は透明であり、前記シール材と重なる部分の光学密度は、この部分から出射する光の正面輝度が、前記散乱させる状態にある前記透明・散乱切替層から出射する光の正面輝度と等しくなるように設定されていることを特徴とする。
【００６１】
本発明においては、前記透明・吸光両面粘着テープの吸光領域の光学濃度が拡散状態にある透明・散乱切替素子上の正面方向の輝度と同等になるように設定されているため、表示画面に異常な輝度上昇部が発生することがなく、位置ずれに起因する表示品質の低下が発生しないため、良好な表示品質が得られる。
【００６２】
本願第２１発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記表示パネルとの間に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記透明・吸光両面粘着テープにおける前記シール材と重なる部分は光を吸収し、前記透明・散乱切替層と重なる部分は透明であり、前記シール材と重なる部分の光学密度は、この部分から出射する光の正面輝度が、前記散乱させる状態にある前記透明・散乱切替層から出射する光の正面輝度よりも低くなるように設定されていることを特徴とする。
【００６３】
本発明においては、シール材部ではより正面方向の輝度を低下させることができるため、より確実に異常な輝度上昇部が発生する現象を低減できる。
【００６４】
また、前記透明・吸光両面粘着テープの前記シール材と重なる部分は無彩色であってもよい。これにより、表示画面に異常な色付きが発生することを防止できる。
【００６５】
又は、前記透明・吸光両面粘着テープの前記シール材と重なる部分は黒色であってもよい。これにより、より確実に異常な輝度上昇部が発生する現象を防止できる。
【００６６】
本願第２２発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記シール材は、前記表示パネルの表示領域の外側に配置されていることを特徴とする。
【００６７】
これにより、位置ずれに対するマージンをより大きくできる。
【００６８】
本願第２３発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、前記面状光源と前記透明・散乱切替素子とを相互に固定するか又は前記透明・散乱切替素子と前記表示パネルとを相互に固定する両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記両面粘着テープは、前記表示パネルの表示領域の外側に配置されていることを特徴とする。
【００６９】
これにより、位置ずれに対するマージンをより大きくできる。
【００７０】
また、前記表示装置は、前記面状光源と前記透明・散乱切替素子との間に配置され、前記面状光源から出射した光の光線方向を規制する光線方向規制素子を有していてもよい。これにより、面状光源から出射した光の指向性を高め、狭い範囲を照射する際の斜め方向の光を低減でき、照射範囲切替の効果を大きくできる。
【００７１】
本願第２４発明に係る表示装置は、光を面状に出射する面状光源と、この面状光源から出射した光の光線方向を規制する光線方向規制素子と、この光線方向規制素子から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記表示パネルの表面に垂直な方向から見て、前記光線方向規制素子の表面における前記シール材と重なる領域には凹凸形状が形成されていることを特徴とする。
【００７２】
また、前記透明・散乱切替素子が前記散乱させる状態である場合には、前記透明・散乱切替素子が前記透過させる状態である場合よりも、前記面状光源の光量を大きくすることにより、前記表示パネルに表示される画像の正面の明るさが一定になるように調整されるものであってもよい。
【００７３】
前記表示パネルが液晶パネルであってもよい。また、前記液晶パネルは横電界モード、マルチドメイン垂直配向モード又はフィルム補償ＴＮモードであってもよい。これにより、前記透明・散乱切替素子が散乱状態の際に、表示の階調反転を抑制でき、視認性を向上できる。
【００７４】
本願第２５発明に係る表示装置は、光を面状に出射する面状光源と、この面状光源から出射した光を透過させる状態と散乱させる状態とに切替可能な透明・散乱切替素子と、この透明・散乱切替素子から出射した光を透過させることにより画像を表示する表示パネルと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記面状光源から前記表示パネルまでの光路における前記シール材が介在する領域の光の透過率が、前記透明・散乱切替層が介在する領域における前記透明・散乱切替層が前記透過させる状態にあるときの光の透過率よりも低いことを特徴とする。
【００７５】
本発明においては、透明・散乱切替素子と表示パネルとの間で位置ずれが発生し、透明・散乱切替素子のシール材を通過した光が表示パネルの表示領域に入射しても、面状光源から表示パネルまでの光路におけるシール材が介在する領域の光の透過率が、この光路の透明・散乱切替層が介在する領域における透明・散乱切替層が光を透過させる状態にあるときの光の透過率よりも低いため、シール材を通過した光の輝度を低減することができ、表示領域に輝度上昇部が発生することを抑制できる。
【００７６】
本願第２６発明に係る端末装置は、前述の表示装置を有することを特徴とする。また、この端末装置は、携帯電話、個人用情報端末、ゲーム機、デジタルカメラ、ビデオカメラ、ビデオプレーヤ、ノート型パーソナルコンピュータ、キャッシュディスペンサ又は自動販売機であってもよい。特に携帯電話の横方向に配置されるシール材に対して本発明を適用することにより、携帯電話の細身化が可能になる。
【００７７】
本願第２７発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱切替素子における前記シール材が配置されている領域が透明でないことを特徴とする。
【００７８】
本発明においては、表示パネルと組み合わせることにより、表示画面に異常な輝度上昇部が発生する現象を緩和でき、表示品質並びに製造歩留まりを向上し、製造コストを低減した表示装置を実現できる。
【００７９】
本願第２８発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度と等しいことを特徴とする。
【００８０】
本願第２９発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度よりも大きいことを特徴とする。
【００８１】
本願第３０発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、少なくとも一方の前記透明基板における前記シール材と重なる領域が光を散乱させることを特徴とする。
【００８２】
本願第３１発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、少なくとも一方の前記透明基板の表面における前記シール材と重なる領域に凹凸形状が形成されていることを特徴とする。
【００８３】
本願第３２発明に係る光源装置は、光を面状に出射する面状光源と、この面状光源から出射した光を透過させる状態と散乱させる状態とに切替可能な透明・散乱切替素子と、前記面状光源の光出射面側に配置され透明でない散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であることを特徴とする。
【００８４】
本願第３３発明に係る光源装置は、光を面状に出射する面状光源と、この面状光源から出射した光を透過させる状態と散乱させる状態とに切替可能な透明・散乱切替素子と、前記面状光源の光出射面側に配置され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であり、前記散乱両面粘着テープの散乱度は前記散乱させる状態にある前記透明・散乱切替層の散乱度と同一であることを特徴とする。
【００８５】
本願第３４発明に係る光源装置は、光を面状に出射する面状光源と、この面状光源から出射した光を透過させる状態と散乱させる状態とに切替可能な透明・散乱切替素子と、前記面状光源の光出射面側に配置され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であり、前記散乱両面粘着テープの散乱度は前記散乱させる状態にある前記透明・散乱切替層の散乱度よりも大きいことを特徴とする。
【００８６】
本願第３５発明に係る光源装置は、光を面状に出射する面状光源と、この面状光源から出射した光を透過させる状態と散乱させる状態とに切替可能な透明・散乱切替素子と、前記面状光源の光出射面側に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であることを特徴とする。
【００８７】
本願第３６発明に係る光源装置は、光を面状に出射する面状光源と、この面状光源から出射した光を透過させる状態と散乱させる状態とに切替可能な透明・散乱切替素子と、前記面状光源の光出射面側に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度と同一であることを特徴とする。
【００８８】
本願第３７発明に係る光源装置は、光を面状に出射する面状光源と、この面状光源から出射した光を透過させる状態と散乱させる状態とに切替可能な透明・散乱切替素子と、前記面状光源の光出射面側に配置された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度よりも大きいことを特徴とする。
【００８９】
本願第３８発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有することを特徴とする。
【００９０】
本願第３９発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有し、前記シール材の光学密度は、このシール材から出射する光の正面輝度が、前記散乱させる状態にある前記透明・散乱切替層から出射する光の正面輝度に等しくなるように設定されていることを特徴とする。
【００９１】
本願第４０発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有し、前記シール材の光学密度は、このシール材から出射する光の正面輝度が、前記散乱させる状態にある前記透明・散乱切替層から出射する光の正面輝度よりも低くなるように設定されていることを特徴とする。
【００９２】
また、前記シール材は無彩色であってもよい。
【００９３】
又は、前記シール材は黒色であってもよい。
【００９４】
本願第４１発明に係る光源装置は、光を面状に出射する面状光源と、この面状光源から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、光を遮断する遮光層と、を有し、前記透明・散乱切替素子の表面に垂直な方向から見て、前記遮光層の形状は前記シール材の形状と同一であることを特徴とする。
【００９５】
また、前記遮光層は、一方の前記透明基板における他方の前記透明基板に対向する面上に形成されていることが好ましい。
【００９６】
本願第４２発明に係る光源装置は、光を面状に出射する面状光源と、この面状光源から出射した光を透過させる状態と散乱させる状態とに切替可能な透明・散乱切替素子と、前記面状光源の光出射面側に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記吸光両面粘着テープの形状は前記シール材の形状と同一であることを特徴とする。
【００９７】
本願第４３発明に係る光源装置は、光を面状に出射する面状光源と、この面状光源から出射した光を透過させる状態と散乱させる状態とに切替可能な透明・散乱切替素子と、前記面状光源の光出射面側に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記吸光両面粘着テープの形状は前記シール材の形状と同一であり、前記吸光両面粘着テープの光学密度は、この吸光両面粘着テープから出射する光の正面輝度が、前記散乱させる状態にある前記透明・散乱切替層から出射する光の正面輝度と等しくなるように設定されていることを特徴とする。
【００９８】
本願第４４発明に係る光源装置は、光を面状に出射する面状光源と、この面状光源から出射した光を透過させる状態と散乱させる状態とに切替可能な透明・散乱切替素子と、前記面状光源の光出射面側に配置され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記吸光両面粘着テープの形状は前記シール材の形状と同一であり、前記吸光両面粘着テープの光学密度は、この吸光両面粘着テープから出射する光の正面輝度が、前記散乱させる状態にある前記透明・散乱切替層から出射する光の正面輝度よりも低くなるように設定されていることを特徴とする。
【００９９】
また、前記吸光両面粘着テープが無彩色であってもよい。
【０１００】
又は、前記吸光両面粘着テープが黒色であってもよい。
【０１０１】
本願第４５発明に係る光源装置は、光を面状に出射する面状光源と、この面状光源から出射した光を透過させる状態と散乱させる状態とに切替可能な透明・散乱切替素子と、前記面状光源の光出射面側に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・吸光両面粘着テープにおける前記シール材と重なる部分は光を吸収し、前記透明・散乱切替層と重なる部分は透明であることを特徴とする。
【０１０２】
本願第４６発明に係る光源装置は、光を面状に出射する面状光源と、この面状光源から出射した光を透過させる状態と散乱させる状態とに切替可能な透明・散乱切替素子と、前記面状光源の光出射面側に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・吸光両面粘着テープにおける前記シール材と重なる部分は光を吸収し、前記透明・散乱切替層と重なる部分は透明であり、前記シール材と重なる部分の光学密度は、この部分から出射する光の正面輝度が、前記散乱させる状態にある前記透明・散乱切替層から出射する光の正面輝度と等しくなるように設定されていることを特徴とする。
【０１０３】
本願第４７発明に係る光源装置は、光を面状に出射する面状光源と、この面状光源から出射した光を透過させる状態と散乱させる状態とに切替可能な透明・散乱切替素子と、前記面状光源の光出射面側に配置された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・吸光両面粘着テープにおける前記シール材と重なる部分は光を吸収し、前記透明・散乱切替層と重なる部分は透明であり、前記シール材と重なる部分の光学密度は、この部分から出射する光の正面輝度が、前記散乱させる状態にある前記透明・散乱切替層から出射する光の正面輝度よりも低くなるように設定されていることを特徴とする。
【０１０４】
また、前記透明・吸光両面粘着テープの前記シール材と重なる部分は無彩色であってもよい。
【０１０５】
又は、前記透明・吸光両面粘着テープの前記シール材と重なる部分は黒色であってもよい。
【０１０６】
更に、前記光源装置は、前記面状光源と前記透明・散乱切替素子との間に配置され、前記面状光源から出射した光の光線方向を規制する光線方向規制素子を有していてもよい。
【０１０７】
本願第４８発明に係る光源装置は、光を面状に出射する面状光源と、この面状光源から出射した光の光線方向を規制する光線方向規制素子と、この光線方向規制素子から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記光線方向規制素子の表面における前記シール材と重なる領域には凹凸形状が形成されていることを特徴とする。
【０１０８】
本願第４９発明に係る光学部材は、入射した光を透過させる状態と散乱させる状態とに切替可能な透明・散乱切替素子を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度と等しいことを特徴とする。
【０１０９】
本発明においては、この光学部材を視野角制御型の表示装置に組み込んだときに、表示画面に異常な輝度上昇部が発生する現象を緩和でき、表示品質並びに製造歩留まりを向上し、製造コストを低減することができる。
【０１１０】
本願第５０発明に係る光学部材は、入射した光を透過させる状態と散乱させる状態とに切替可能な透明・散乱切替素子を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は散乱性を有し、その散乱度が前記散乱させる状態にある前記透明・散乱切替層の散乱度よりも大きいことを特徴とする。
【０１１１】
本願第５１発明に係る光学部材は、入射した光を透過させる状態と散乱させる状態とに切替可能な透明・散乱切替素子を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、少なくとも一方の前記透明基板における前記シール材と重なる領域が光を散乱させることを特徴とする。
【０１１２】
本願第５２発明に係る光学部材は、入射した光を透過させる状態と散乱させる状態とに切替可能な透明・散乱切替素子と、を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、少なくとも一方の前記透明基板の表面における前記シール材と重なる領域に凹凸形状が形成されていることを特徴とする。
【０１１３】
本願第５３発明に係る光学部材は、入射した光を透過させる状態と散乱させる状態とに切替可能な透明・散乱切替素子と、この透明・散乱切替素子に貼付され透明でない散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であることを特徴とする。
【０１１４】
本願第５４発明に係る光学部材は、入射した光を透過させる状態と散乱させる状態とに切替可能な透明・散乱切替素子と、この透明・散乱切替素子に貼付され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であり、前記散乱両面粘着テープの散乱度は前記散乱させる状態にある前記透明・散乱切替層の散乱度と同一であることを特徴とする。
【０１１５】
本願第５５発明に係る光学部材は、入射した光を透過させる状態と散乱させる状態とに切替可能な透明・散乱切替素子と、この透明・散乱切替素子に貼付され散乱性を有する散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記散乱両面粘着テープの形状は前記シール材の形状と同一であり、前記散乱両面粘着テープの散乱度は前記散乱させる状態にある前記透明・散乱切替層の散乱度よりも大きいことを特徴とする。
【０１１６】
本願第５６発明に係る光学部材は、入射した光を透過させる状態と散乱させる状態とに切替可能な透明・散乱切替素子と、この透明・散乱切替素子に貼付された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であることを特徴とする。
【０１１７】
本願第５７発明に係る光学部材は、入射した光を透過させる状態と散乱させる状態とに切替可能な透明・散乱切替素子と、この透明・散乱切替素子に貼付された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度と同一であることを特徴とする。
【０１１８】
本願第５８発明に係る光学部材は、入射した光を透過させる状態と散乱させる状態とに切替可能な透明・散乱切替素子と、この透明・散乱切替素子に貼付された透明・散乱両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・散乱両面粘着テープにおける前記シール材と重なる部分は光を散乱させ、前記透明・散乱切替層と重なる部分は透明であり、前記シール材と重なる部分の散乱度は前記散乱させる状態にある前記透明・散乱切替層の散乱度よりも大きいことを特徴とする。
【０１１９】
本願第５９発明に係る光学部材は、入射した光を透過させる状態と散乱させる状態とに切替可能な透明・散乱切替素子を有し、この透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記シール材は光を吸収する吸光性を有することを特徴とする。
【０１２０】
また、前記シール材は無彩色であってもよい。
【０１２１】
又は、前記シール材は黒色であってもよい。
【０１２２】
本願第６０発明に係る光学部材は、入射した光を透過させる状態と散乱させる状態とに切替可能な透明・散乱切替素子を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、光を遮断する遮光層と、を有し、前記透明・散乱切替素子の表面に垂直な方向から見て、前記遮光層の形状は前記シール材の形状と同一であることを特徴とする。
【０１２３】
また、前記遮光層は、一方の前記透明基板における他方の前記透明基板に対向する面上に形成されていることが好ましい。
【０１２４】
本願第６１発明に係る光学部材は、入射した光を透過させる状態と散乱させる状態とに切替可能な透明・散乱切替素子と、この透明・散乱切替素子に貼付され光を吸収する吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記吸光両面粘着テープの形状は前記シール材の形状と同一であることを特徴とする。
【０１２５】
また、前記吸光両面粘着テープは無彩色であってもよい。
【０１２６】
又は、前記吸光両面粘着テープは黒色であってもよい。
【０１２７】
本願第６２発明に係る光学部材は、入射した光を透過させる状態と散乱させる状態とに切替可能な透明・散乱切替素子と、この透明・散乱切替素子に貼付された透明・吸光両面粘着テープと、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記透明・吸光両面粘着テープにおける前記シール材と重なる部分は光を吸収し、前記透明・散乱切替層と重なる部分は透明であることを特徴とする。
【０１２８】
また、前記透明・吸光両面粘着テープの前記シール材と重なる部分は無彩色であってもよい。
【０１２９】
又は、前記透明・吸光両面粘着テープの前記シール材と重なる部分は黒色であってもよい。
【０１３０】
本願第６３発明に係る光学部材は、入射した光の光線方向を規制する光線方向規制素子を有し、前記光線方向規制素子の表面における外周部には凹凸形状が形成されていることを特徴とする。
【０１３１】
本願第６４発明に係る光学部材は、入射した光の光線方向を規制する光線方向規制素子と、この光線方向規制素子から出射した光を透過させる状態と散乱させる状態とに切替可能な透明・散乱切替素子と、を有し、前記透明・散乱切替素子は、２枚の透明基板と、この２枚の透明基板の外周部間に配置されたシール材と、前記２枚の透明基板間における前記シール材により封止された領域に封入され入射した光を透過させる状態と散乱させる状態とに切替可能な透明・散乱切替層と、を有し、前記透明・散乱切替素子の表面に垂直な方向から見て、前記光線方向規制素子の表面における前記シール材と重なる領域には凹凸形状が形成されていることを特徴とする。
【発明の効果】
【０１３２】
本発明によれば、視野角制御型の表示装置において、異常な輝度上昇の発生を防止することができる。
【発明を実施するための最良の形態】
【０１３３】
本発明者等は、上述の異常な輝度上昇が発生する原因について鋭意検討を行った。その結果、上述の異常輝度上昇は、散乱性制御素子のシール材部に透明な材料を使用し、表示装置を製造する際に散乱性制御素子の位置と表示パネルの位置との間にずれが発生した場合に発生し、特に、視野角制御型表示装置を広視野状態にした場合に顕著になることを見出した。以下、これについて詳細に説明する。
【０１３４】
先ず、比較例として、異常輝度上昇が発生する視野角制御型液晶表示装置の構成及び動作について説明する。図１は、本比較例に係る視野角制御型液晶表示装置を示す断面図である。図１に示すように、本比較例に係る視野角制御型液晶表示装置３１０２においては、光を面状に出射する面状光源３１０１と、面状光源３１０１の光出射面側に配置され、入射した光の指向性を高める光線方向規制素子３１１２と、光線方向規制素子３１１２の光出射面側に配置され、入射した光をそのまま透過させるか散乱させて出射させるかを切替える透明・散乱切替素子３１２２と、透明・散乱切替素子３１２２の光出射面側に配置され画像を表示する透過型液晶パネル３１０７とが設けられている。透過型液晶パネル３１０７においては、その中央領域が表示領域３１０７ａとなっており、表示領域３１０７ａの周囲が額縁領域３１０７ｂとなっている。
【０１３５】
面状光源３１０１には、光源３１５１及び導光部材３１０３が設けられている。光源３１５１は、一例ではＬＥＤ（Light Emitting Diode：発光ダイオード）であり、導光部材３１０３の側方に配置されている。導光部材３１０３は、透明な板材であり、その側面から入射された光を、その主面から面状に出射するものである。光線方向規制素子３１１２は、一例ではルーバであり、光を透過する透明領域と光を吸収する吸収領域とが、ルーバ表面に平行な方向に交互に配置されている。透明領域及び吸収領域の配列方向は、光源３１５１から導光部材３１０３に向かう方向、即ち、図１の横方向である。
【０１３６】
透明・散乱切替素子３１２２においては、２枚の透明基板３１０９が相互に平行に且つ離隔して設けられており、２枚の透明基板３１０９における相互に対向する側の面の全面には、夫々電極３１１０が設けられている。また、透明基板３１０９間における外周部には、透明シール材３１０８が設けられている。透明シール材３１０８は、透明基板３１０９間の距離を一定に保つと共に、透明基板３１０９間の空間を封止するものである。そして、２枚の透明基板３１０９間における透明シール材３１０８によって封止された空間には、ＰＤＬＣ（Polymer Dispersed Liquid Crystal：高分子分散型液晶）層３１１１が設けられている。ＰＤＬＣ層３１１１においては、高分子マトリクス３１１１ａ中に液晶分子３１１１ｂが分散している。
【０１３７】
この透明・散乱切替素子３１２２においては、ＰＤＬＣ層３１１１に電界が印加されない状態では、高分子マトリクス３１１１ａの見かけの屈折率と液晶分子３１１１ｂの見かけの屈折率とが相互に異なるために、入射した光が散乱して出射される散乱状態となる。一方、１対の電極３１１０によって、その間に挟まれているＰＤＬＣ層３１１１に電圧が印加されると、ＰＤＬＣ層３１１１中の液晶分子３１１１ｂの配向状態が変化して、液晶分子３１１１ｂの見かけの屈折率が高分子マトリクス３１１１ａの見かけの屈折率とほぼ一致する。このため、入射した光が散乱されずに透過される透明状態となる。
【０１３８】
また、正面、即ち、透過型液晶パネル３１０７の表示面に垂直な方向から見て、透明・散乱切替素子３１２２のＰＤＬＣ層３１１１の外縁は、透過型液晶パネル３１０７の表示領域３１０７ａの外縁よりもやや外側に配置されている。但し、光源３１５１から出力された光の利用効率を可及的に高くするために、正面から見て、ＰＤＬＣ層３１１１の外縁と表示領域３１０７ａの外縁との間の距離は、なるべく短くなるように設計されている。
【０１３９】
次に、本比較例に係る視野角制御型液晶表示装置３１０２の動作について説明する。先ず、透明・散乱切替素子３１２２と透過型液晶パネル３１０７との間に、横方向の位置ずれが生じていない場合について説明する。広視野角表示の場合について説明する。図２は、この視野角制御型液晶表示装置の広視野角表示時の動作を示す断面図である。広視野角表示時には、透明・散乱切替素子３１２２には電圧が引加されず、散乱状態となっている。
【０１４０】
図２に示すように、光源３１５１が点灯すると、この光源３１５１から発した光は導光部材３１０３中を伝搬して、導光部材３１０３の光出射面から面状に出射する。次に、この光は光線方向規制素子３１１２に入射して指向性が高められる。図２においては、光の指向性の程度を光束３１９０として表している。即ち、光線方向規制素子３１１２から出射した光の光束３１９０は、正面方向に向かう成分３１９０ａのみを持っており、正面方向に高い指向性を持っている。成分３１９０ａはベクトルとして表しており、その長さは強度を示している。
【０１４１】
この光が透明・散乱切替素子３１２２に入射する。透明・散乱切替素子３１２２は、電極３１１０間に電圧が印加されておらず散乱状態にあるため、入射した高指向性の光は透明・散乱切替素子３１２２により均一に散乱され、広い角度範囲に分散される。即ち、光線方向規制素子３１１２によって指向性が高くなった光は、透明・散乱切替素子３１２２によって散乱されて指向性が低下し、広角の光となる。透明・散乱切替素子３１２２から出射した光の光束３１９１は、正面方向に向かう成分３１９１ａの他に、正面方向から傾斜した方向（斜め方向）に向かう成分３１９１ｂを持っており、各成分の強度は、透明・散乱切替素子３１２２に入射する前の光束３１９０の成分３１９０ａよりも低下している。
【０１４２】
一方、光線方向規制素子３１１２から出射し、透明・散乱切替素子３１２２の透明シール材３１０８に入射した光は、透明シール材３１０８を略そのまま透過し、高い指向性を保ったまま、透明・散乱切替素子３１２２から出射する。この光の光束を光束３１９２として示す。光束３１９２の強度分布は光束３１９０と略等しい。
【０１４３】
そして、透明・散乱切替素子３１２２から出射した光は、透過型液晶パネル３１０７に入射する。このとき、透明・散乱切替素子３１２２のＰＤＬＣ層３１１１から出射した光、即ち、光束３１９１で表される指向性が低い光は、透過型液晶パネル３１０７の表示領域３１０７ａに入射し、画像が付加されて、光束３１９３により表されるような広角の光のまま、透過型液晶パネル３１０７から出射する。このようにして、広視野角で画像が表示される。一方、透明シール材３１０８から出射した光、即ち、光束３１９２で表される指向性が高い光は、透過型液晶パネル３１０７の額縁領域３１０７ｂに入射し、遮断される。
【０１４４】
次に、狭視野角表示の場合について説明する。図３は、この視野角制御型液晶表示装置の狭視野角表示時の動作を示す断面図である。狭視野角表示時には、透明・散乱切替素子３１２２が透明状態となるように電極３１１０間に電圧が印加されている。光源３１５１から出射した光が透明・散乱切替素子３１２２に入射するまでの動作は、前述の広視野角表示のときと同様である。即ち、光線方向規制素子３１１２からは、光束３１９４で表される指向性が高い光が出射する。
【０１４５】
透明・散乱切替素子３１２２は、電極３１１０間に電圧が印加されて透明状態にあるため、入射した高指向性の光は、透明・散乱切替素子３１２２により散乱されることなく、そのまま透過する。即ち、光線方向規制素子３１１２によって指向性が高くなった光は、高指向性を保った状態で透明・散乱切替素子３１２２から出射される。この場合、透明・散乱切替素子３１２２の透明シール材３１０８を透過した光の指向性は、ＰＤＬＣ層３１１１を透過した光の指向性と略等しい。即ち、光束３１９６の強度分布は光束３１９５の強度分布と略等しい。
【０１４６】
透明・散乱切替素子３１２２から出射した指向性が高い光は、透過型液晶パネル３１０７に入射し、画像が付加されて、表示領域３１０７ａから高指向性を保ったまま出射する。このようにして、狭視野角で画像が表示される。
【０１４７】
ところで、上述の如く構成された視野角制御型液晶表示装置３１０２においては、狭視野角表示時と広視野角表示時とで光源３１５１の光量が同じであると、狭視野角表示時と比較して広視野角表示時の正面輝度が低下する。これは、狭視野角表示時においては、透過型液晶パネル３１０７から出射する光は、光線方向規制素子３１１２により指向性が高められた状態のままであり、その大部分が正面方向に進行するのに対して、広視野角表示時においては、光線方向規制素子３１１２により指向性が高められた光が透明・散乱切替素子３１２２により散乱されるため、正面方向に進行する光量が減少して正面輝度が相対的に低下することに起因する。
【０１４８】
一方で、正面方向に位置するメインユーザに対しては、狭視野角表示時と広視野角表示時とで輝度が変化しない方が好ましい。そこで、狭視野角表示から広視野角表示に切り替える際に正面輝度が低下しないようにするため、光源３１５１を構成するＬＥＤに流す電流を増やして、ＬＥＤの光量を増加させ、正面輝度が低下しないようにする必要がある。同様に、広視野角表示から狭視野角表示に切り替える際には、正面輝度が大幅に増大しないように、光源３１５１を構成するＬＥＤに流す電流を減らして、ＬＥＤの光量を少なくする。このように、狭視野角表示と広視野角表示との切替は、透明・散乱切替素子３１２２の透明・散乱状態の切替と、光源３１５１の発光量の切替により実現される。
【０１４９】
次に、透明・散乱切替素子３１２２と透過型液晶パネル３１０７との間に、横方向の位置ずれが生じている場合について説明する。図４は、上述の視野角制御型液晶表示装置３１０２において、透明・散乱切替素子３１２２と透過型液晶パネル３１０７との間に横方向の位置ずれが発生した場合を示す断面図である。位置ずれが発生していない場合には、正面から見て、透過型液晶パネル３１０７の表示領域３１０７ａには透明・散乱切替素子３１２２の透明シール材３１０８がはみ出さないが、横方向の位置ずれが発生すると、図４に示すように、表示領域３１０７ａの一部に透明シール材３１０８がはみ出すことになる。即ち、表示装置を表示面の法線方向である正面方向から観察した場合に、表示領域３１０７ａの一部に、透明シール材３１０８が視認されることになる。
【０１５０】
このように位置ずれが発生した視野角制御型液晶表示装置においては、表示領域３１０７ａの一部にはみ出した透明シール材３１０８が、光学的に問題を引き起こしてしまう。図５は、図４に示す視野角制御型液晶表示装置の動作を示す断面図である。図５に示すように、広視野角表示時には、光源３１５１の光量を増やしているため、光線方向規制素子３１１２を透過した光は、正面方向に高い輝度成分を有する分布となっている。
【０１５１】
そして、この光が透明・散乱切替素子３１２２に入射すると、ＰＤＬＣ層３１１１に入射した光は、散乱状態にあるＰＤＬＣ層により散乱され、正面方向の成分３１９１ａの強度が設定された値まで低下する。これに対して、透明シール材３１０８に入射した光は、散乱されることなく透明・散乱切替素子３１２２から出射する。即ち、正面方向に高い輝度成分３１９２ａを有する光束３１９２のまま出射され、透過型表示パネル３１０７に入射することになる。このとき、透明シール材３１０８を通過した光の大部分は、表示パネル３１０７の額縁領域３１０７ｂで遮光され、観察者には視認されない。しかし、上述のように位置ずれが発生すると、透明シール材３１０８を通過した光の一部は表示領域３１０７ａに入射してしまい、遮光されることなく表示領域３１０７ａを透過して、観察者に視認される。
【０１５２】
この光は、ＰＤＬＣ層３１１１を通過した光と比較して、正面方向に高い輝度を有するため、正面方向から観察すると、表示画面の一部に異常な輝度上昇領域が発生しているものとして視認され、表示品質の低下を招く。このため、この現象が発生した表示装置は、出荷検査において不良品と判定されてしまう。従って、この現象が発生することにより、表示装置の製造歩留まりは大幅に低下する。位置ずれを抑制して製造歩留まりを向上させるためには、実装の際に位置ずれが発生しないように精密な位置合わせをすればよい。しかし、精密な位置合わせをするためには、透明・散乱切替素子の透明シール材及び透過型液晶パネルの表示領域を認識し、両者間にずれが生じないような高精度に位置合わせを行う実装装置が必要になるが、このような高精度な実装装置は高価であるため、製造コストが大きく上昇してしまう。
【０１５３】
なお、上述の説明は、視野角制御型液晶表示装置が、バックライト、光線方向規制素子、透明・散乱切替素子及び透過型液晶パネルから構成される場合についてであるが、構成要素として透明・散乱切替素子及び表示パネルを有する表示装置であれば、同様の現象が問題となる。
【０１５４】
そこで、本発明者等は、上述の現象を防止するために鋭意実験研究し、本発明を完成した。以下、本発明の実施形態に係る表示装置、端末装置、光源装置及び光学部材について添付の図面を参照して具体的に説明する。先ず、本発明の第１の実施形態について説明する。図６は本実施形態に係る表示装置を示す断面図であり、図７はこの表示装置を示す斜視図であり、図８は、この表示装置の光源、導光板及びプリズムシートを示す斜視図であり、図９は、この表示装置の光源、導光板及びプリズムシートを示す斜視であり、図１０は、本実施形態に係る端末装置を示す斜視図である。
【０１５５】
図６に示すように、本第１の実施形態に係る表示装置２においては、光源装置としてのバックライト１と、このバックライト１から出射した光を透過させることにより画像を表示する透過型液晶表示パネル７と、透過型液晶表示パネル７をバックライト１に接着する透明両面粘着テープ４１と、バックライト１及び透過型液晶表示パネル７を収納して固定するホルダー４とが設けられている。バックライト１においては、導光板３、プリズムシート３１及び透明・散乱切替素子１２２が、透過型液晶表示パネル７に向かう方向に沿ってこの順に設けられている。そして、導光板３の側方には、光源５１が設けられている。また、透過型液晶表示パネル７の中央部は表示領域７ａとなっており、外周部は額縁領域７ｂとなっている。更に、ホルダー４の形状は正面側が開口した箱状であり、矩形の底板及びこの底板の各端縁から起立した４枚の側板から構成されている。
【０１５６】
図７に示すように、ホルダー４の１枚の側板には、切込４ａが形成されている。また、透明・散乱切替素子１２２には突起部１２２ａが設けられている。そして、透明・散乱切替素子１２２の突起部１２２ａがホルダー４の切込４ａに嵌合することにより、ホルダー４が透明・散乱切替素子１２２を固定的に保持するようになっている。
【０１５７】
図６に示すように、透明・散乱切替素子１２２においては、２枚の透明基板１０９が相互に平行に且つ離隔して設けられており、２枚の透明基板１０９における相互に対向する面の全面には、夫々電極１１０が設けられている。また、透明基板１０９の外周部間には、散乱シール材１０８が設けられている。散乱シール材１０８は、透明基板１０９間の距離を一定に保つと共に、透明基板１０９間の空間を封止するものである。そして、２枚の透明基板１０９間における散乱シール材１０８によって囲まれた空間には、透明・散乱切替層としてのＰＤＬＣ層１１１が封入されている。ＰＤＬＣ層１１１においては、高分子マトリクス１１１ａ中に液晶分子１１１ｂが分散している。ＰＤＬＣ層１１１は、例えば光硬化性樹脂及び液晶材料の混合物を露光して硬化させることにより形成されたものである。
【０１５８】
そして、散乱シール材１０８は透明でなく、入射した光を散乱させて通過させる光散乱性を有している。散乱テープ１０８の散乱度は、散乱状態にあるときのＰＤＬＣ層１１１の散乱度と等しくなっている。
【０１５９】
この透明・散乱切替素子１２２においては、ＰＤＬＣ層１１１に電界が印加されない状態では、高分子マトリクス１１１ａの見かけの屈折率と液晶分子１１１ｂの見かけの屈折率とが相互に異なるために、入射した光が散乱して出射される散乱状態となる。一方、１対の電極１１０によって、その間に挟まれているＰＤＬＣ層１１１に電圧が印加されると、ＰＤＬＣ層１１１中の液晶分子１１１ｂの配向状態が変化して、液晶分子１１１ｂの見かけの屈折率が高分子マトリクス１１１ａの見かけの屈折率とほぼ一致する。このため、入射した光が散乱されずに透過される透明状態となる。散乱シール材１０８の散乱度は、例えばＰＤＬＣ層１１１が散乱状態にあるときの散乱度と等しくなっている。
【０１６０】
また、正面、即ち、透過型液晶パネル１０７の表示面に垂直な方向から見て、透明・散乱切替素子１２２のＰＤＬＣ層１１１の外縁は、透過型液晶パネル１０７の表示領域１０７ａの外縁よりもやや外側に配置されている。但し、光源５１から出力された光の利用効率を可及的に高くするために、正面から見て、ＰＤＬＣ層１１１の外縁と表示領域１０７ａの外縁との間の距離は、なるべく短くなるように設計されている。
【０１６１】
そして、透明両面粘着テープ４１の一方の面は、透過型液晶表示パネル７の額縁領域７ｂに接着されており、透明両面粘着テープ４１の他方の面は、透明・散乱切替素子１２２の透明基板１０９における散乱シール材１０８に相当する領域に接着されている。これにより、透過型液晶表示パネル７は、透明・散乱切替素子１２２に対して固定されている。
【０１６２】
図８に示すように、導光板３は、例えばメタクリル樹脂等の透明樹脂によって四角平板状に形成されている。導光板３の１つのコーナー部は斜めに切り落とされて光入射面３０２となっており、この光入射面３０２に対向する位置に光源５１が配置されている。光源５１は、一例ではＬＥＤである。導光板３の下面に光拡散パターン３０１が形成されている。光拡散パターン３０１は、光源５１を中心とした円弧状の窪みであり、その断面形状は三角形状である。そして、複数本の光拡散パターン３０１が、光源５１を中心として同心円状に配列されている。光拡散パターン３０１における光源５１側に傾斜した斜面が光の反射面となっており、正面方向から見て、この反射面の法線は、光源５１に向かう方向に延びている。光源５１及び導光板３により、面状光源が構成されている。
【０１６３】
また、図９に示すように、プリズムシート３１においては、基板３１ａ及び複数の円錐形状のプリズム３１ｂが設けられている。プリズム３１ｂは、基板３１ａの導光板３側の面に配置されており、光源５１を中心とする円弧状に配列されている。
【０１６４】
この表示装置２においては、透明・散乱切替素子１２２の散乱シール材１０８の散乱度が、散乱状態にあるときのＰＤＬＣ層１１１の散乱度と等しくなっているため、
導光板３から透過型液晶表示パネル７までの光路において、散乱シール材１０８が介在する領域の光の透過率が、ＰＤＬＣ層１１１が介在する領域におけるこのＰＤＬＣ層１１１が散乱状態にあるときの光の透過率と略等しくなっている。即ち、散乱シール材１０８が介在する領域の光の透過率は、ＰＤＬＣ層１１１が介在する領域におけるこのＰＤＬＣ層１１１が透明状態にあるときの光の透過率よりも低くなっている。
【０１６５】
図１０に示すように、本実施形態に係る端末装置は、例えば携帯電話９である。携帯電話９の表示部には、上述の表示装置２が搭載されている。
【０１６６】
次に、上述の如く構成された本実施形態に係る表示装置の動作について説明する。図１１は、本実施形態に係る表示装置における広視野角表示時の動作を示す断面図であり、図１２は狭視野角表示時の動作を示す断面図であり、図１３は本実施形態に係る表示装置において、透明・散乱切替素子と表示パネルとの間に横方向の位置ずれが発生した場合を示す断面図であり、図１４は、この位置ずれが発生した表示装置の広視野角表示時の動作を示す断面図である。先ず、透明・散乱切替素子１２２と透過型液晶パネル７との間で、横方向の位置ずれがない場合について説明する。
【０１６７】
先ず、図９を用いて、光源５１から出射した光がプリズムシート３１から出射するまでの動作について説明する。光源５１から出射された光は、光入射面３０２から導光板３内に入射する。光入射面３０２から導光板３に入射した光は、導光板３内で放射状に広がりながら、導光板３の上面と下面との間で全反射しながら導光板３中を進行する。導光板３の下面に入射する光は、光拡散パターン３０１の反射面で反射する度に導光板３の上面への入射角が小さくなり、何回か全反射を繰り返すうちに、上面への入射角が臨界角よりも小さくなる。そして、臨界角より小さな角度で導光板３の上面に入射した光は、導光板３の外部へ出射する。このとき、表示装置の正面から見て、光拡散パターン３０１の反射面の法線は、光源５１に向かう方向に延びているため、正面から見ると、導光板３内を伝搬している光は、光拡散パターン３０１により拡散されることがない。このため、導光板３の上面から出射する光は、正面方向から前記臨界角によって決まる所定の角度だけ傾斜した方向に高い指向性で出射する。導光板３から出射した広がりが小さくて指向性が高い光は、プリズムシート３１を透過することにより正面方向に偏向され、正面方向に高い指向性で出射される。
【０１６８】
プリズムシート３１から出射した正面方向に指向性が高い光は、透明・散乱切替素子１２２に入射する。先ず、広視野角表示の場合について説明する。図１１は、各位置での光の配向特性を記載するために、図中の上下方向に対して構造を分離して記載してある。図１１において、プリズムシート３１から出射した光の配向特性を、光束９０として表現する。光束９０は、正面方向に向かう成分９０ａのみを有し、他の成分を実質的に有さない。
【０１６９】
広視野角表示時には、透明・散乱切替素子１２２には電圧が引加されず、ＰＤＬＣ層１１１は散乱状態となっている。そこで、透明・散乱切替素子１２２に入射した高指向性の光のうち、ＰＤＬＣ層１１１に入射した光は、ＰＤＬＣ層１１１により均一に散乱され、広い角度範囲に分散される。即ち、ＰＤＬＣ層１１１に入射した指向性の高い光は、ＰＤＬＣ層１１１により散乱されて指向性が低下し、広角の光となる。この広範囲に広がった光の配向特性は、光束９１として表される。光束９１は、正面方向の成分９１ａ及び斜め方向の成分９１ｂを有し、成分９１ａの強度は、透明・散乱切替素子１２２に入射する光束９０の正面方向の成分９０ａの強度よりも小さい。
【０１７０】
また、透明・散乱切替素子１２２に入射した光のうち、散乱テープ１０８に入射した光は、散乱テープ１０８によって散乱され、広角の光となる。散乱テープ１０８の散乱度は、散乱状態にあるときのＰＤＬＣ層１１１の散乱度と等しいため、散乱テープ１０８を通過した光の光束９２は、ＰＤＬＣ層１１１を通過した光の光束９１と同じものになる。
【０１７１】
透明・散乱切替素子１２２のＰＤＬＣ層１１１から出射した広角の光は、透過型液晶パネル７の表示領域７ａに入射し、表示領域７ａを透過することにより画像が付加されて、表示領域７ａから広角の光のまま出射する。また、散乱テープ１０８から出射した広角の光は、透過型液晶パネル７の額縁領域７ｂに入射し、遮断される。このようにして、広視野角で画像が表示される。
【０１７２】
次に、狭視野角表示の場合について説明する。図１２は、各位置での光の配向特性を記載するために、図中の上下方向に対して構造を分離して記載してある。狭視野角表示時には、透明・散乱切替素子１２２に電圧が引加され、ＰＤＬＣ層１１１が透明状態となっている。そこで、透明・散乱切替素子１２２に入射した高指向性の光うち、ＰＤＬＣ層１１１に入射した光は、ＰＤＬＣ層１１１により散乱されることなく、そのまま通過する。即ち、ＰＤＬＣ層１１１に入射した指向性が高い光は、ＰＤＬＣ層１１１により散乱されて指向性が低下することなく、高指向性を保った状態で透明・散乱切替素子１２２から出射する。一方、透明・散乱切替素子１２２に入射した光うち、散乱テープ１０８に入射した光は、散乱テープ１０８によって散乱され、広角の光となる。
【０１７３】
透明・散乱切替素子１２２のＰＤＬＣ層１１１から出射した狭角の光は、透過型液晶パネル７の表示領域７ａに入射し、表示領域７ａを透過することにより画像が付加されて、表示領域７ａから狭角の光のまま出射する。また、散乱テープ１０８から出射した広角の光は、透過型液晶パネル７の額縁領域７ｂに入射し、遮断される。このようにして、狭視野角で画像が表示される。
【０１７４】
このように構成された本実施形態に係る表示装置においては、狭視野角表示時と広視野角表示時とで光源５１の光量が同じであると、狭視野角表示時と比較して広視野角表示時の正面輝度が低下する。これは、狭視野角状態においては、透過型液晶パネル７から出射する光は、指向性が高い状態のままであるのに対し、広視野角状態においては、透明・散乱切替素子１２２により散乱され、正面方向に進行する光束が減少して正面輝度が相対的に低下することに起因する。
【０１７５】
一方で、正面方向に位置するメインユーザに対しては、狭視野角表示時と広視野角表示時とで輝度が変化しない方が好ましい。そこで、狭視野角表示から広視野角表示に切り替える際に正面輝度が低下しないようにするため、光源５１を構成するＬＥＤに流す電流を増やして、ＬＥＤの光量を増加させ、正面輝度が低下しないようにする必要がある。同様に、広視野角表示から狭視野角表示に切り替える際には、正面輝度が大幅に増大しないように、光源５１を構成するＬＥＤに流す電流を減らして、ＬＥＤの光量を少なくする。このように、狭視野角表示と広視野角表示との切替は、透明・散乱切替素子１２２の透明・散乱状態の切替と、光源５１の発光量の切替とにより実現される。
【０１７６】
次に、上述の本実施形態に係る表示装置において、透明・散乱切替素子と透過型液晶パネルとの間に横方向の位置ずれが発生した場合について説明する。図１３は、本実施形態に係る表示装置であって、透明・散乱切替素子と透過型液晶パネルとの間に横方向の位置ずれが発生した表示装置を示す断面図である。図６に示すように、位置ずれが発生していない場合には、正面から見て、透過型液晶パネル７の表示領域７ａには透明・散乱切替素子１２２の散乱シール材１０８がはみ出さない。これに対して、図１３に示すように、透明・散乱切替素子と透過型液晶パネルとの間に横方向の位置ずれが発生すると、正面から見て、表示領域７ａの一部に散乱シール材１０８がはみ出すことになる。即ち、表示装置を表示面に対して法線方向である正面から観察した場合に、表示領域７ａの一部に散乱シール材１０８が視認されることになる。
【０１７７】
図１４は、このように位置ずれが発生した表示装置の広視野角表示時の動作を示す断面図である。図１４に示すように、透明・散乱切替素子と透過型液晶パネルとの間に横方向の位置ずれが発生した場合には、透明・散乱切替素子１１２の散乱テープ１０８から出射した光の一部が、透過型液晶パネル７の表示領域７ａに入射され、表示領域７ａを透過して表示装置２から出射する。しかしながら、前述の如く、散乱テープ１０８から出射した光の配向特性（光束９２）は、ＰＤＬＣ層１１１から出射した光の配向特性（光束９１）と同等である。従って、観察者から見ると、ＰＤＬＣ層１１１から出射した光と散乱テープ１０８から出射した光とは相互に区別がつかず、表示領域７ａにおける散乱テープ１０８から出射した光が入射する領域の輝度が、他の領域の輝度と比較して上昇することがない。このため、表示品質が低下することがない。
【０１７８】
また、狭視野表示時には、ＰＤＬＣ層１１１からは狭角の光が出射されるが、散乱テープ１０８からは広角の光が出射される。この場合には、散乱テープ１０８から出射される光の配向特性はＰＤＬＣ層１１１から出射される光の配向特性とは異なるが、散乱テープ１０８から出射される光の正面方向の成分は、ＰＤＬＣ層１１１から出射される光の正面方向の成分よりも強度が低くなるため、表示領域７ａの一部に散乱テープ１０８から出射した光が入射しても、観察者から見ると殆ど目立たず、表示品質を殆ど低下させない。
【０１７９】
次に、本実施形態の効果について説明する。上述の如く、本実施形態においては、透明・散乱切替素子１１２においてＰＤＬＣ層１１１を封止するテープとして散乱テープ１０８を使用することにより、散乱テープ１０８に入射した光を散乱させる。これにより、透明・散乱切替素子１１２と透過型液晶パネル７との間に位置ずれが発生して、散乱テープ１０８から出射した光が透過型液晶パネル７の表示領域７ａに入射しても、表示画面に異常な輝度上昇部が発生することなく、位置ずれに起因する表示品質の低下は発生しない。このため、観察者は違和感なく表示装置を使用することができる。
【０１８０】
また、表示装置を製造する際に、位置ずれに対する許容値を大きく設定できるため、製造歩留まりを向上させることができる。更に、透明・散乱切替素子と透過型液晶パネルとの位置合わせに際して、透明・散乱切替素子のシール材領域及び透過型液晶パネルの表示領域を認識し、両者にずれが生じないように高精度に位置合わせすることは不要になり、例えば単なる外形のみでの位置合わせが可能となるため、製造コストの低減が可能になる。
【０１８１】
なお、本実施形態においては、透明・散乱切替素子のシール材が光散乱性を有する散乱シール材であるものとして説明したが、透明・散乱切替素子においてＰＤＬＣ層が配置された領域とシール材が配置された領域とで散乱度が実質的に等価になればよく、散乱シール材を設けることに限定されるものではない。例えば、透明・散乱切替素子の少なくとも１枚の透明基板の表面に凹凸加工を施して散乱処理するなどして、透明基板のシール材部のみに散乱性を付与してもよい。このように、シール材以外の構造により散乱性を持たせた場合には、シール材に透明なものを使用できるため、シール材の選択肢を多様化でき、信頼性等他の特性がより優れたシール材を適用することも可能になる。
【０１８２】
また、シール材部の散乱度は、上述のように、特に散乱状態にあるＰＤＬＣ層の散乱度と同等に設定すると、表示品質の向上には効果的であるが、この値に限定されるものではなく、散乱状態にあるＰＤＬＣ層の散乱度より大きく設定されていてもよい。この場合、シール材部では正面方向の輝度をより低下させることができるため、より確実に異常な輝度上昇部が発生する現象を防止できる。また、多少の輝度上昇を許容できるものとするのであれば、散乱状態にあるＰＤＬＣ層の散乱度より小さく設定してもよい。即ち、テープ部が透明でなければ、異常な輝度上昇部が発生する現象を緩和することができる。
【０１８３】
更に、本実施形態における透明・散乱切替素子のシール材部の位置は、透明・散乱切替素子と透過型液晶パネルとの間に位置ずれが発生しない場合に、透過型液晶パネルの表示領域にかからないものとして説明した。特に携帯電話においては、大画面化と電話機の細身化とを両立させるために、表示パネルの額縁領域における表示領域の側方（左右側）に位置する部分は、細くなる傾向にある。このため、正面から見て、透明・散乱切替素子のシール材部の内縁が、透過型液晶パネルの表示領域の外縁よりも外側に位置するようにすると、シール材部の幅が細くなり、信頼性が低下したり、耐衝撃性が低下したりし易くなる。しかしながら、可能な限り透過型液晶パネルの表示領域の外縁よりもより外側に透明・散乱切替素子のシール材部の内縁を配置することにより、位置ずれに対するマージンを大きくすることができるため、製造コストの点からは好ましい。
【０１８４】
更にまた、上述の説明では、位置ずれは横方向に発生するものとして説明したが、上下方向の位置ずれ及び表示面の法線に対して回転する方向の位置ずれに対しても、本実施形態は有効である。但し、本実施形態に係る表示装置を携帯電話に搭載する場合には、一般的に、携帯電話の横幅は手に持ちやすい大きさに限定されるが、情報を表示するためには、表示領域の横幅は大きくすることが好ましいため、表示画面の側方における額縁領域の幅は狭くなる傾向にある。このため、特に携帯電話の表示画面の側方に配置されるシール材に対して本実施形態を適用することにより、携帯電話の細身化が可能になる。
【０１８５】
更にまた、本発明で使用する透明・散乱切替素子は、ＰＤＬＣ層を有するものに限定されず、透明状態と散乱状態をスイッチングできる素子であれば好適に使用できる。一例として、ポリマーネットワーク液晶（ＰＮＬＣ）を使用した素子、及びダイナミック・スキャッタリング（ＤＳ）を使用した素子を挙げることができる。また、前述のＰＤＬＣ層においては、電圧を印加していないときは散乱状態であり、電圧印加時には透明状態であるものを使用している。これにより、前記透明・散乱素子は、入射された光を散乱する状態のときに電力を消費しないため、バックライト光源にその分の電力を割り当てられるため、散乱状態時の光源装置の明るさを向上させることが容易である。但し、電圧を印加していないときは透明状態であり、電圧印加時には散乱状態であるＰＤＬＣ層を使用してもよい。このようなＰＤＬＣ層は、電圧を印加しながら露光して硬化させることによって作製することができる。これにより、携帯情報端末において使用頻度が高い狭視野表示時に、ＰＤＬＣ層に電圧を印加する必要がなく、電力消費を抑制することができる。更に、ＰＤＬＣ層に使用する液晶分子としてコレステリック液晶又は強誘電性液晶等を用いてもよい。これらの液晶は、印加電圧をオフにしても電圧を印加していたときの配向状態のままであり、メモリー性がある。このようなＰＤＬＣ層を使用することにより、消費電力を低減することが可能となる。
【０１８６】
本発明の面状光源装置と組み合わせて使用する表示パネルは、液晶パネルに限定されず、光源装置を使用する表示パネルであれば使用可能である。また、液晶パネルは透過型に限定されず、各画素に透過領域が設けられたパネルであれば使用可能であり、各画素の一部に反射領域を有する半透過型液晶パネル、微透過型液晶パネル、微反射型液晶パネルでも使用可能である。また、液晶パネルは、視野角依存性が少ないものが好ましい。これにより、広視野角表示時の階調反転を抑制できる。そのような液晶パネルのモードの例としては、横電界モードではＩＰＳ（イン・プレイン・スイッチング）方式、ＦＦＳ(フリンジ・フィールド・スイッチング)方式、ＡＦＦＳ(アドヴァンスト・フリンジ・フィールド・スイッチング)方式等が挙げられる。また、垂直配向モードではマルチドメイン化され視野角依存性が低減されたＭＶＡ(マルチドメイン・ヴァーティカル・アライメント)方式、ＰＶＡ(パターンド・ヴァーティカル・アライメント)方式、ＡＳＶ(アドヴァンスト・スーパー・ヴイ)方式等が挙げられる。更に、フィルム補償ＴＮモードの液晶表示パネルも好適に使用することができる。
【０１８７】
本発明の表示装置の構成要素の一部である光源、導光板及びプリズムシートは、上述の構成に限定されるものではなく、少なくとも狭視野角表示を行う方向に対して光の指向性を高めるものであれば、好適に使用することができる。また、光源の制御に関しては、狭視野角表示から広視野角表示に切り替えた際に、光源５１を構成するＬＥＤに流す電流を増やして、ＬＥＤの光量を増大し、正面輝度が低下しないようにするものとして説明したが、これに限定されるものではなく、ＬＥＤの電流を増加させない場合についても本発明を同様に適用することができる。
【０１８８】
本実施形態の表示装置は、携帯電話等の携帯端末装置に好適に適用することができる。携帯端末装置としては携帯電話のみならず、ＰＤＡ（Personal Digital Assistant：個人用情報端末）、ゲーム機、デジタルカメラ及びデジタルビデオカメラ等の各種の携帯端末装置に適用することができる。また、携帯端末装置のみならず、ノート型パーソナルコンピュータ、キャッシュディスペンサ、自動販売機等の各種の端末装置に適用することができる。
【０１８９】
次に、本発明の第２の実施形態に係る表示装置、光源装置及び光学部材について説明する。図１５は本実施形態に係る表示装置を示す断面図である。図１５に示すように、本第２の実施形態に係る表示装置２１は、前述の第１の実施形態に係る表示装置２と比較して、透明・散乱切替素子１２２の散乱シール材１０８の替わりに、透明シール材１１８が設けられており、また、透明両面粘着テープ４１の替わりに、光を散乱させる効果を有する散乱両面粘着テープ４２が設けられている点が異なっている。即ち、透過型液晶表示パネル７は、額縁領域７ｂに接着された散乱両面粘着テープ４２によって、透明・散乱切替素子１２３に固定されている。散乱両面粘着テープ４２の散乱度は、散乱状態にあるときの透明・散乱切替素子１２３のＰＤＬＣ層１１１の散乱度と同等である。本実施形態における上記以外の構成は、前述の第１の実施形態と同様である。
【０１９０】
次に、上述の如く構成された本実施形態に係る表示装置の動作について説明する。図１６は、本実施形態において、透明・散乱切替素子１２３と透過型液晶表示パネル７との間に横方向の位置ずれが発生している場合の広視野角表示時の動作を示す断面図である。図１６に示すように、広視野角表示時には、光源５１を構成するＬＥＤに流す電流を増やしているため、透明・散乱切替素子１２３に入射する光は、正面方向に高い輝度を有する高指向性の分布となっている。透明・散乱切替素子１２３に入射した光のうち、ＰＤＬＣ層１１１に入射した光は、散乱状態にあるＰＤＬＣ層により散乱され、正面方向の輝度は設定された値まで低下する。一方、透明シール材１１８に入射した光は、ＰＤＬＣ層１１１に入射した光と異なり、散乱されずに透明・散乱切替素子１２３から出射するが、その後透明シール材１１８上に設けられた散乱両面粘着テープ４２により散乱される。これにより、透過型液晶表示パネル７に入射した光は、透明シール材１１８と散乱両面粘着テープ４２とが重畳された部分と、ＰＤＬＣ層１１１の部分とで、相互に同程度に散乱される。
【０１９１】
そして、透明・散乱切替素子１２３と透過型液晶表示パネル７との間で位置ずれが発生し、正面から見て、表示領域７ａの一部に透明シール材１１８と散乱両面粘着テープ４２が重畳された部分がはみ出しても、透明シール材１１８及び散乱両面粘着テープ４２を通過した光は、ＰＤＬＣ層１１１を通過した光と同程度に散乱されているため、異常な輝度上昇領域は出現しない。このように、本実施形態においては、透明・散乱切替素子１２３のＰＤＬＣ層１１１を封止するシール材は光学的に透明であるものの、透明・散乱切替素子１２３と透過型液晶表示パネル７との間に設けられた散乱両面粘着テープ４２が散乱性を有するため、前述の第１の実施形態の表示装置２と同様の効果を発揮することができる。
【０１９２】
本実施形態においては、前述の第１の実施形態と比較して、透明・散乱切替素子のシール材に透明なものを使用できるため、シール材の選択肢を多様化でき、信頼性等他の特性がより優れたシール材を適用することが可能になる。本実施形態における上記以外の効果は、前述の第１の実施形態と同様である。即ち、表示画面には異常な輝度上昇部が発生することなく、位置ずれに起因する表示品質の低下は発生しないため、観察者は違和感なく表示装置を使用することができる。また、表示装置の製造の際に、位置ずれに対する許容値を大きく設定できるため、製造歩留まりを向上させることができる。更に、透明・散乱切替素子のシール材及び透過型液晶パネルの表示領域を認識し、両者にずれが生じないような高精度に位置合わせすることが不要になり、例えば単なる外形のみでの位置合わせが可能となるため、製造コストの低減が可能になる。
【０１９３】
なお、本実施形態の表示装置においては、前述の第１の実施形態と同様に、透明・散乱切替素子に突起部が設けられ、この突起部をホルダーが保持することにより、透明・散乱切替素子はホルダーに固定され、更に透過型液晶表示パネルが散乱両面粘着テープで透明・散乱切替素子に固定されているが、本発明はこれに限定されるものではない。例えば、プリズムシートに突起部が設けられ、この突起部をホルダーが保持することによりプリズムシートがホルダーに固定され、透明・散乱切替素子は突起部が設けられておらず、散乱両面粘着テープを介して透明・散乱切替素子がプリズムシートに固定され、透過型液晶表示パネルは透明両面粘着テープを介して透明・散乱切替素子に固定されていてもよい。即ち、プリズムシートから透過型液晶表示パネルまでのいずれかの位置に、散乱両面粘着テープが設けられていればよい。特に、透過型液晶表示パネルを散乱両面粘着テープで透明・散乱切替素子に固定することにより、透過型液晶表示パネル及び透明・散乱切替素子の耐衝撃性を向上させることができる。
【０１９４】
次に、本発明の第３の実施形態に係る表示装置、光源装置及び光学部材について説明する。図１７は本実施形態に係る表示装置を示す断面図である。図１７に示すように、本第３の実施形態に係る表示装置２２は、前述の第２の実施形態に係る表示装置２１と比較して、散乱両面粘着テープ４２の替わりに、透明・散乱両面粘着テープ４３が設けられている点が異なっている。前述の第２の実施形態における散乱両面粘着テープ４２は、正面から見て枠状に設けられており、透過型表示パネル７の額縁領域７ｂに相当する領域のみに配置されているが、本実施形態の透明・散乱両面粘着テープ４３は、正面から見て矩形状に設けられており、透過型表示パネル７の全体に相当する領域に配置されている。
【０１９５】
正面から見て、透明・散乱両面粘着テープ４３においては、透過型表示パネル７の表示領域７ａに相当する部分が透明部４３ａとなっており、額縁領域７ｂに相当する部分が散乱部４３ｂとなっている。透過型液晶表示パネル７は、透明・散乱両面粘着テープ４３により透明・散乱切替素子１２３に固定されている。即ち、前述の第２の実施形態では、額縁領域７ｂに相当する領域のみに設けられた散乱両面粘着テープ４２によって透過型液晶表示パネル７と透明・散乱切替素子１２３とが相互に接着されていたのに対し、本実施形態においては、透明・散乱両面粘着テープ４３によって透過型液晶表示パネル７と透明・散乱切替素子１２３とが全面貼合されている。透明・散乱両面粘着テープ４３の散乱部４３ｂの散乱度は、散乱状態にある透明・散乱切替素子１２３のＰＤＬＣ層１１１の散乱度と同等である。本実施形態における上記以外の構成及び動作は、前述の第２の実施形態と同様である。
【０１９６】
本実施形態においては、透明・散乱切替素子１２３のＰＤＬＣ層１１１を封止するシール材は光学的に透明であるものの、透明・散乱切替素子１２３と透過型液晶表示パネル７との間に設けられた透明・散乱両面粘着テープ４３の散乱部４３ａが光散乱性を有するため、前述の第２の実施形態の表示装置２１と同様の効果を発揮することができる。即ち、表示画面に異常な輝度上昇部が発生することなく、位置ずれに起因する表示品質の低下は発生しないため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と透過型液晶パネルの表示領域を認識し、両者にずれが生じないような高精度な位置合わせは不要になり、例えば単なる外形のみでの位置合わせが可能となるため、製造コストの低減が可能になる。
【０１９７】
また、本実施形態においては、前述の効果に加えて、更に以下に示すような効果も得ることができる。即ち、前述の第１の実施形態と比較して、透明・散乱切替素子のシール材に透明なものを使用できるため、シール材の選択肢を多様化でき、信頼性等他の点でより優れた性能を有するシール材を適用することも可能になる。また、前述の第２の実施形態と比較して、透明・散乱切替素子と透過型液晶表示パネルとが透明・散乱両面粘着テープにより全面で貼合されているため、機械的な衝撃に対して強い。また、表示領域においても、透明・散乱両面粘着テープの透明部により光学的に密着されているため、透明・散乱切替素子の表面及び透過型液晶表示パネルの表面で発生する光の反射による損失を低減することができる。
【０１９８】
次に、本発明の第４の実施形態に係る表示装置、光源装置及び光学部材について説明する。図１８は本実施形態に係る表示装置を示す断面図である。図１８に示すように、本第４の実施形態に係る表示装置２３は、前述の第１の実施形態に係る表示装置２と比較して、透明・散乱切替素子１２４において、散乱シール材１０８の替わりに光を吸収する吸光シール材１１９が設けられており、この吸光シール材１１９によりＰＤＬＣ層１１１が封止されている点が異なっている。吸光シール材１１９は、前述の第２の実施形態における透明・散乱切替素子１２３の透明シール材１１８をベース材料として、この透明シール材１１８に光を吸収するような顔料又は染料を混入し、正面方向の光透過率を低下させたものである。本実施形態における上記以外の構成は、前述の第１の実施形態と同様である。
【０１９９】
次に、上述の如く構成された本実施形態に係る表示装置の動作について説明する。図１９は、本実施形態において透明・散乱切替素子１２４と透過型液晶表示パネル７の配置に横方向の位置ずれが発生した場合の広視野角表示時の動作を示す断面図である。図１９に示すように、広視野角表示時には、光源５１を構成するＬＥＤに流す電流を増やしているため、透明・散乱切替素子１２４に入射する光は、正面方向に高い輝度を有する高指向性の分布となっている。透明・散乱切替素子１２４に入射した光のうち、ＰＤＬＣ層１１１に入射した光は、散乱状態にあるＰＤＬＣ層により散乱され、正面方向の輝度は設定された値まで低下する。一方、吸光シール材１１９に入射した光は、ＰＤＬＣ層１１１に入射した光とは異なり、散乱されずに高い指向性を保ったまま、正面方向の輝度が低下した状態で透明・散乱切替素子１２４から出射する。
【０２００】
このとき、吸光シール材１１９を透過した光の正面方向の輝度は、散乱状態にあるＰＤＬＣ層１１１を通過した光の正面方向の輝度と同等になるように、吸光シール材１１９の光学濃度が設定されている。これにより、正面方向から観察した場合の輝度は、散乱状態にあるＰＤＬＣ層１１１の部分と、吸光シール材１１９の部分とでほぼ同程度になっている。この後、液晶表示パネル７に入射した光は、表示領域７ａの部分では表示に利用されるが、それ以外の部分は遮光されているため、観察者には視認されない。そして、上述のように位置ずれが発生し、正面から見て表示領域７ａの一部に吸光シール材１１９の部分がはみ出しても、正面方向から観察した際の輝度はＰＤＬＣ層１１１の部分と同程度になるため、観察者が違和感を覚えることはない。
【０２０１】
本実施形態においては、透明・散乱切替素子１２４のＰＤＬＣ層１１１を封止する吸光シール材１１９が光吸収性を有するため、前述の第１の実施形態と同様な効果を発揮することができる。即ち、表示画面には異常な輝度上昇部が発生することなく、位置ずれに起因する表示品質の低下は発生しないため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と透過型液晶パネルの表示領域を認識し、両者にずれが生じないような高精度な位置合わせは不要になり、例えば単なる外形のみでの位置合わせが可能となるため、製造コストの低減が可能になる。更に、本実施形態においては、前述の効果に加えて、吸光シール材が光散乱性を有さないため、特に狭視野状態における斜め方向への光漏れを防止する効果もある。
【０２０２】
本実施形態における吸光シール材の光学濃度は、上述のように、特に散乱状態にあるＰＤＬＣ層を通過した際の正面方向の輝度と同程度になるように設定することが効果的であるが、この値に限定されるものではなく、より高い光学濃度が設定されていてもよい。この場合、シール材部ではより正面方向の輝度を低下させることができるため、より確実に異常な輝度上昇部が発生する現象を防止できる。一例では、完全に黒色のシール材を使用しても良い。更に、多少の輝度上昇を許容できるものとするのであれば、光学濃度を小さく設定してもよい。即ち、透明でなければ、異常な輝度上昇部が発生する現象を緩和することができる。特に、色味を持たない無彩色シール材を好適に使用できる。色味を有するシール材を使用した場合、異常な輝度上昇部を抑制できても、その部分が着色して観察されてしまうからである。更に、前述の第１の実施形態のシール材と組み合わせて、適度に散乱性を持たせてもよい。
【０２０３】
次に、本発明の第５の実施形態に係る表示装置、光源装置及び光学部材について説明する。図２０は本実施形態に係る表示装置を示す断面図である。図２０に示すように、本第５の実施形態に係る表示装置２４においては、前述の第４の実施形態に係る表示装置２３と比較して、透明・散乱切替素子１２５において、吸光シール材１１９の替わりに透明シール材１１８が設けられており、この透明シール材１１８によりＰＤＬＣ層１１１が封止されており、また、透明・散乱切替素子１２５の一方の電極１１０とＰＤＬＣ層１１１との間に、遮光層１２０が形成されている点が異なっている。本実施形態における上記以外の構成は、前述の第４の実施形態と同様である。
【０２０４】
本実施形態においては、透明・散乱切替素子１２５のＰＤＬＣ層１１１を封止するシール材は光学的に透明であるものの、透明・散乱切替素子１２５の透明基板１０９上に設けられた遮光層１２０が遮光性を有し、光を吸収するため、前述の第１の実施形態に係る表示装置２と同様な効果を発揮することができる。即ち、表示画面には異常な輝度上昇部が発生することなく、位置ずれに起因する表示品質の低下は発生しないため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と透過型液晶パネルの表示領域を認識し、両者にずれが生じないような高精度な位置合わせは不要になり、例えば単なる外形のみでの位置合わせが可能となるため、製造コストの低減が可能になる。
【０２０５】
また、本実施形態においては、前述の効果に加えて、以下の効果も得ることができる。即ち、前述の第１の実施形態と比較して、透明・散乱切替素子のシール材に透明なものを使用できるため、シール材の選択肢を多様化でき、信頼性など他の点でより優れた性能を有するシール材を適用することも可能になる。また、前述の第２の実施形態と比較して、特別な両面テープが不要になるため、部材の選択肢を多様化でき、接着性等他の点でより優れた性能を有するテープを適用することも可能になる。更に、前述の第４の実施形態と同様に、狭視野状態における斜め方向への光漏れを防止する効果もある。
【０２０６】
本実施形態においては、透明・散乱切替素子１２５の電極１１０とＰＤＬＣ層１１１との間に遮光層１２０が形成されているため、遮光層１２０を透明・散乱切替素子を作製する際に必要なマーク（一例では２枚の基板の位置合わせ用マーク）と同時に形成することができる。これにより、遮光層１２０を設けることにより透明・散乱切替素子１２５のコストが増大することを防止できる。但し、遮光層１２０は、透明基板１０９におけるＰＤＬＣ層１１１とは反対側の面上に形成されていてもよい。
【０２０７】
次に、本発明の第６の実施形態に係る表示装置、光源装置及び光学部材について説明する。図２１は本実施形態の表示装置を示す断面図である。図２１に示すように、本第６の実施形態に係る表示装置２５は、前述の第２の実施形態に係る表示装置２１と比較して、散乱両面粘着テープ４２の替わりに、光を吸収する吸光両面粘着テープ４４が設けられている点が異なっている。即ち、透過型液晶表示パネル７は、額縁領域７ｂに貼付された吸光両面粘着テープ４４によって、透明・散乱切替素子１２３に対して固定されている。吸光両面粘着テープ４４の光学濃度は、前述の第４の実施形態における吸光シール材の光学濃度と同様に、吸光両面粘着テープ４４を透過した光の正面方向の輝度が、散乱状態にあるＰＤＬＣ層を通過した光の正面方向の輝度と同程度になるように設定されている。本実施形態における上記以外の構成は前述の第２の実施形態と同様である。即ち、透明・散乱切替素子１２３には透明シール材１１８が設けられており、この透明シール材１１８によりＰＤＬＣ層１１１が封止されている。
【０２０８】
本実施形態においては、透明・散乱切替素子１２３のＰＤＬＣ層１１１を封止するシール材は光学的に透明であるものの、透明・散乱切替素子１２３と透過型液晶表示パネル７との間に設けられた吸光両面粘着テープ４４が光吸収性を有するため、前述の第１の実施形態と同様な効果を得ることができる。即ち、表示画面には異常な輝度上昇部が発生することなく、位置ずれに起因する表示品質の低下は発生しないため、観察者は違和感なく表示装置を使用することができる。また、表示装置の製造の際に、位置ずれに対する許容値を大きく設定できるため、製造歩留まりを向上させることができる。更に、透明・散乱切替素子のシール材領域と透過型液晶パネルの表示領域を認識し、両者にずれが生じないような高精度な位置合わせは不要になり、例えば単なる外形のみでの位置合わせが可能となるため、製造コストの低減が可能になる。
【０２０９】
また、本実施形態においては、前述の効果に加えて、以下の効果も得ることができる。即ち、前述の第１の実施形態と比較して、透明・散乱切替素子のシール材に透明なものを使用できるため、シール材の選択肢を多様化でき、信頼性等他の特性がより優れたシール材を適用することが可能になる。また、前述の第２の実施形態と比較して、特別な両面テープが不要になるため、部材の選択肢を多様化でき、接着性等他の特性がより優れた両面テープを適用することが可能になる。更に、前述の第４の実施形態と同様に、狭視野表示時における斜め方向への光漏れを防止する効果ある。
【０２１０】
本実施形態における吸光両面粘着テープの光学濃度は、上述のように、吸光両面粘着テープを透過した光の正面方向の輝度が、散乱状態にあるＰＤＬＣ層を通過した光の正面方向の輝度と同程度になるように設定することが特に効果的であるが、この値に限定されるものではなく、より高い光学濃度に設定してもよい。この場合、シール材部ではより正面方向の輝度を低下させることができるため、より確実に異常な輝度上昇部が発生する現象を防止できる。一例では、完全に黒色の両面粘着テープを使用してもよい。更に、多少の輝度上昇を許容できるものとするのであれば、光学濃度を小さく設定してもよい。即ち、透明でなければ、異常な輝度上昇部が発生する現象を緩和することができる。特に、色味を持たない無彩色両面粘着テープを好適に使用できる。色味を有する両面テープを使用した場合、異常な輝度上昇部を抑制できても、その部分が着色して観察されてしまうからである。更に、前述の第２の実施形態におけるテープと組み合わせて、適度に散乱性を持たせてもよい。更にまた、前述の第１の実施形態の散乱シール材と組み合わせてもよい。
【０２１１】
本実施形態における吸光両面粘着テープは、前述の第３の実施形態の透明・散乱両面粘着テープのように、表示領域に透明部を有する透明・吸光両面粘着テープとすることもできる。これにより、上述の効果に加えて、耐衝撃性を向上させると共に、表面反射に起因する光の損失を抑制できる。
【０２１２】
次に、本発明の第７の実施形態に係る表示装置、光源装置及び光学部材について説明する。図２２は本実施形態に係る表示装置を示す断面図である。図２２に示すように、本第７の実施形態に係る表示装置２６は、前述の第１の実施形態に係る表示装置２と比較して、光線方向規制素子であるルーバ１１２が設けられている点が異なっている。ルーバ１１２は、プリズムシート３１と透明・散乱切替素子１２２との間に配置されている。ルーバ１１２は、光を透過する透明領域（図示せず）と光を吸収する吸収領域（図示せず）とが、ルーバ表面に平行な方向に交互に配置されている。透明領域及び吸収領域が交互に配置されている配列方向は、図２２の横方向に設定されている。本実施形態における上記以外の構成は、前述の第１の実施形態と同様である。
【０２１３】
本実施形態においては、ルーバ１１２がプリズムシート３１から出射した光線のうち、出射面の法線方向から一定以上の角度で傾斜した方向に進行する成分を吸収して除去するため、透明・散乱切替素子１２２に入射する光線の指向性を高めることができる。これにより、狭視野表示時に斜め方向への光漏れを抑制でき、覗き見防止効果をより高めることができる。
【０２１４】
なお、本実施形態における光線方向規制素子であるルーバは、透明領域と吸収領域とが交互に配置される配列方向が図２２の横方向であるものとして説明したが、本発明はこれに限定されず、配列方向は、導光板の光出射面内において、透過型液晶表示パネル７の画素の配列方向に対して傾斜した方向であってもよい。これにより、ルーバと表示パネルとの間で発生するモアレを目立ちにくくでき、表示品質を向上させることができる。
【０２１５】
次に、本発明の第８の実施形態に係る表示装置、光源装置及び光学部材について説明する。図２３は本実施形態に係る表示装置を示す断面図である。図２３に示すように、本第８の実施形態に係る表示装置２７は、前述の第７の実施形態に係る表示装置２６と比較して、透明・散乱切替素子１２２の散乱シール材１０８の替わりに、透明シール材１１８が設けられており、ルーバ１１３の透明・散乱切替素子１２２側の面における表示領域以外の部分が散乱加工された散乱面１１３ａとなっている点が異なっている。本実施形態における上記以外の構成は、前述の第７の実施形態と同様である。
【０２１６】
本実施形態においては、ルーバ１１３から光が出射する際に、非表示領域から出射する光は散乱面１１３ａで拡散され、透明・散乱切替素子に散乱シール材を適用した場合と同等の効果を発揮する。これにより、前述の第１の実施形態と同様の効果を実現できる。
【０２１７】
なお、本実施形態におけるルーバ１１３の散乱面１１３ａは透明・散乱切替素子側に配置されるものとして説明したが、これに限定されるものではなく、ルーバ１１３のプリズムシート側の面が散乱面となっていてもよい。この場合は、散乱面によりルーバ構造に入射する光の指向性が低減されるので、ルーバ１１３から出射する光のうち、正面方向の輝度を低下させる効果を有する。これにより、前述の第１の実施形態と同様の効果を実現できる。
【０２１８】
なお、上述の各実施形態は夫々単独で使用してもよいが、適宜組み合わせて使用することも可能である。
【産業上の利用可能性】
【０２１９】
本発明は、例えば、携帯電話、ＰＤＡ、ゲーム機、デジタルカメラ、ビデオカメラ及びビデオプレーヤ等の携帯端末装置の表示装置、並びにノート型パーソナルコンピュータ、キャッシュディスペンサ及び自動販売機等の端末装置の表示装置に好適に利用することができる。
【図面の簡単な説明】
【０２２０】
【図１】比較例に係る視野角制御型液晶表示装置を示す断面図である。
【図２】この視野角制御型液晶表示装置の広視野角表示時の動作を示す断面図である。
【図３】この視野角制御型液晶表示装置の狭視野角表示時の動作を示す断面図である。
【図４】上述の視野角制御型液晶表示装置において、透明・散乱切替素子と透過型液晶パネルとの間に横方向の位置ずれが発生した場合を示す断面図である。
【図５】図４に示す視野角制御型液晶表示装置の動作を示す断面図である。
【図６】本発明の第１の実施形態に係る表示装置を示す断面図である。
【図７】この表示装置を示す斜視図である。
【図８】この表示装置の光源、導光板及びプリズムシートを示す斜視図である。
【図９】この表示装置の光源、導光板及びプリズムシートを示す斜視である。
【図１０】本実施形態に係る端末装置を示す斜視図である。
【図１１】本実施形態に係る表示装置における広視野角表示時の動作を示す断面図である。
【図１２】狭視野角表示時の動作を示す断面図である。
【図１３】本実施形態に係る表示装置において、透明・散乱切替素子と表示パネルとの間に横方向の位置ずれが発生した場合を示す断面図である。
【図１４】この位置ずれが発生した表示装置の広視野角表示時の動作を示す断面図である。
【図１５】本発明の第２の実施形態に係る表示装置を示す断面図である。
【図１６】本実施形態において、透明・散乱切替素子と透過型液晶表示パネルとの間に横方向の位置ずれが発生している場合の広視野角表示時の動作を示す断面図である。
【図１７】本発明の第３の実施形態に係る表示装置を示す断面図である。
【図１８】本発明の第４の実施形態に係る表示装置を示す断面図である。
【図１９】本実施形態において、透明・散乱切替素子と透過型液晶表示パネルとの間に横方向の位置ずれが発生している場合の広視野角表示時の動作を示す断面図である。
【図２０】本発明の第５の実施形態に係る表示装置を示す断面図である。
【図２１】本発明の第６の実施形態に係る表示装置を示す断面図である。
【図２２】本発明の第７の実施形態に係る表示装置を示す断面図である。
【図２３】本発明の第８の実施形態に係る表示装置を示す断面図である。
【図２４】特許文献１に記載されている従来の第１の視野角制御型液晶表示装置を模式的に示す断面図である。
【図２５】特許文献２に記載されている従来の第２の視野角制御型液晶表示装置を模式的に示す断面図である。
【図２６】この視野角制御型液晶表示装置に使用される照明装置を模式的に示す斜視図である。
【符号の説明】
【０２２１】
１、１１、１２、１３、１４、１５、１６、１７；バックライト
２、２１、２２、２３、２４、２５、２６、２７；表示装置
３；導光板
３１；プリズムシート
３１ａ；基板
３１ｂ；プリズム
４；ホルダー
４ａ；切込
４１；透明両面粘着テープ
４２；散乱両面粘着テープ
４３；透明・散乱両面粘着テープ
４３ａ；透明部
４３ｂ；散乱部
４４；吸光両面粘着テープ
５１；光源
７；透過型液晶表示パネル
７ａ；表示領域
７ｂ；額縁領域
９；携帯電話
９０、９１、９２；光束
９０ａ、９１ａ、９１ｂ、９２ａ、９２ｂ；成分
１２２、１２３、１２４、１２５；透明・散乱切替素子
１２２ａ；透明・散乱切替素子突起部
１０８；散乱シール材
１０９；透明基板
１１０；電極
１１１；ＰＤＬＣ層
１１１ａ；高分子マトリクス
１１１ｂ；液晶分子
１１２、１１３；ルーバ
１１３ａ；散乱面
１１８；透明シール材
１１９；吸光シール材
１２０；遮光層
３０１；光拡散パターン
３０２；光入射面
１００１；視野角制御型液晶表示装置
１１７０；散乱を制御できる液晶素子
１１８０；旋光性、複屈折性を制御できる液晶素子
１１１０、１１１１、１１１２；可視域で光学的に透明な基板
１１２０、１１２１、１１２２、１１２３；透明電極
１１３０；散乱モードの液晶
１１４０、１１４１；偏光子
１１５０、１１５１；配向膜
１１６０；旋光性、複屈折性を持つ液晶層
１１００、１１０１；電圧供給源
１１９０、１１９１；スイッチ
２１０１；視野角制御型液晶表示装置
２１０２；液晶表示装置
２１０３；散乱性制御素子
２１０４；照明装置（バックライト）
２１１５；基板
２１２０；遮光スリット付シート（透光性シート体）
２１２１；照射部
２１２２；光源
２１２３；光出射面
２１２４；反射シート
３１０１；面状光源
３１０２；視野角制御型液晶表示装置
３１０３；導光部材
３１０７；透過型液晶パネル
３１０７ａ；表示領域
３１０７ｂ；額縁領域
３１５１；光源
３１１２；光線方向規制素子
３１２２；透明・散乱切替素子
３１１１；ＰＤＬＣ層
３１１１ａ；高分子マトリクス
３１１１ｂ；液晶分子
３１０８；シール材
３１９０〜３１９７；光束
３１９０ａ、３１９１ａ、３１９１ｂ、３１９２ａ；成分
【図１】
2007071953.tif 000003
【図２】
2007071953.tif 000004
【図３】
2007071953.tif 000005
【図４】
2007071953.tif 000006
【図５】
2007071953.tif 000007
【図６】
2007071953.tif 000008
【図７】
2007071953.tif 000009
【図８】
2007071953.tif 000010
【図９】
2007071953.tif 000011
【図１０】
2007071953.tif 000012
【図１１】
2007071953.tif 000013
【図１２】
2007071953.tif 000014
【図１３】
2007071953.tif 000015
【図１４】
2007071953.tif 000016
【図１５】
2007071953.tif 000017
【図１６】
2007071953.tif 000018
【図１７】
2007071953.tif 000019
【図１８】
2007071953.tif 000020
【図１９】
2007071953.tif 000021
【図２０】
2007071953.tif 000022
【図２１】
2007071953.tif 000023
【図２２】
2007071953.tif 000024
【図２３】
2007071953.tif 000025
【図２４】
2007071953.tif 000026
【図２５】
2007071953.tif 000027
【図２６】
2007071953.tif 000028
【手続補正書】
【提出日】平成18年9月8日(2006.9.8)
【手続補正１】
【補正対象書類名】明細書
【補正対象項目名】０１５８
【補正方法】変更
【補正の内容】
【０１５８】
そして、散乱シール材１０８は透明でなく、入射した光を散乱させて通過させる光散乱性を有している。散乱シール材１０８の散乱度は、散乱状態にあるときのＰＤＬＣ層１１１の散乱度と等しくなっている。
【手続補正２】
【補正対象書類名】明細書
【補正対象項目名】０１７０
【補正方法】変更
【補正の内容】
【０１７０】
また、透明・散乱切替素子１２２に入射した光のうち、散乱シール材１０８に入射した光は、散乱シール材１０８によって散乱され、広角の光となる。散乱シール材１０８の散乱度は、散乱状態にあるときのＰＤＬＣ層１１１の散乱度と等しいため、散乱シール材１０８を通過した光の光束９２は、ＰＤＬＣ層１１１を通過した光の光束９１と同じものになる。
【手続補正３】
【補正対象書類名】明細書
【補正対象項目名】０１７１
【補正方法】変更
【補正の内容】
【０１７１】
透明・散乱切替素子１２２のＰＤＬＣ層１１１から出射した広角の光は、透過型液晶パネル７の表示領域７ａに入射し、表示領域７ａを透過することにより画像が付加されて、表示領域７ａから広角の光のまま出射する。また、散乱シール材１０８から出射した広角の光は、透過型液晶パネル７の額縁領域７ｂに入射し、遮断される。このようにして、広視野角で画像が表示される。
【手続補正４】
【補正対象書類名】明細書
【補正対象項目名】０１７２
【補正方法】変更
【補正の内容】
【０１７２】
次に、狭視野角表示の場合について説明する。図１２は、各位置での光の配向特性を記載するために、図中の上下方向に対して構造を分離して記載してある。狭視野角表示時には、透明・散乱切替素子１２２に電圧が引加され、ＰＤＬＣ層１１１が透明状態となっている。そこで、透明・散乱切替素子１２２に入射した高指向性の光うち、ＰＤＬＣ層１１１に入射した光は、ＰＤＬＣ層１１１により散乱されることなく、そのまま通過する。即ち、ＰＤＬＣ層１１１に入射した指向性が高い光は、ＰＤＬＣ層１１１により散乱されて指向性が低下することなく、高指向性を保った状態で透明・散乱切替素子１２２から出射する。一方、透明・散乱切替素子１２２に入射した光うち、散乱シール材１０８に入射した光は、散乱シール材１０８によって散乱され、広角の光となる。
【手続補正５】
【補正対象書類名】明細書
【補正対象項目名】０１７３
【補正方法】変更
【補正の内容】
【０１７３】
透明・散乱切替素子１２２のＰＤＬＣ層１１１から出射した狭角の光は、透過型液晶パネル７の表示領域７ａに入射し、表示領域７ａを透過することにより画像が付加されて、表示領域７ａから狭角の光のまま出射する。また、散乱シール材１０８から出射した広角の光は、透過型液晶パネル７の額縁領域７ｂに入射し、遮断される。このようにして、狭視野角で画像が表示される。
【手続補正６】
【補正対象書類名】明細書
【補正対象項目名】０１７７
【補正方法】変更
【補正の内容】
【０１７７】
図１４は、このように位置ずれが発生した表示装置の広視野角表示時の動作を示す断面図である。図１４に示すように、透明・散乱切替素子と透過型液晶パネルとの間に横方向の位置ずれが発生した場合には、透明・散乱切替素子１２２の散乱シール材１０８から出射した光の一部が、透過型液晶パネル７の表示領域７ａに入射され、表示領域７ａを透過して表示装置２から出射する。しかしながら、前述の如く、散乱シール材１０８から出射した光の配向特性（光束９２）は、ＰＤＬＣ層１１１から出射した光の配向特性（光束９１）と同等である。従って、観察者から見ると、ＰＤＬＣ層１１１から出射した光と散乱シール材１０８から出射した光とは相互に区別がつかず、表示領域７ａにおける散乱シール材１０８から出射した光が入射する領域の輝度が、他の領域の輝度と比較して上昇することがない。このため、表示品質が低下することがない。
【手続補正７】
【補正対象書類名】明細書
【補正対象項目名】０１７８
【補正方法】変更
【補正の内容】
【０１７８】
また、狭視野表示時には、ＰＤＬＣ層１１１からは狭角の光が出射されるが、散乱シール材１０８からは広角の光が出射される。この場合には、散乱シール材１０８から出射される光の配向特性はＰＤＬＣ層１１１から出射される光の配向特性とは異なるが、散乱シール材１０８から出射される光の正面方向の成分は、ＰＤＬＣ層１１１から出射される光の正面方向の成分よりも強度が低くなるため、表示領域７ａの一部に散乱シール材１０８から出射した光が入射しても、観察者から見ると殆ど目立たず、表示品質を殆ど低下させない。
【手続補正８】
【補正対象書類名】明細書
【補正対象項目名】０１７９
【補正方法】変更
【補正の内容】
【０１７９】
次に、本実施形態の効果について説明する。上述の如く、本実施形態においては、透明・散乱切替素子１２２においてＰＤＬＣ層１１１を封止するテープとして散乱シール材１０８を使用することにより、散乱シール材１０８に入射した光を散乱させる。これにより、透明・散乱切替素子１２２と透過型液晶パネル７との間に位置ずれが発生して、散乱シール材１０８から出射した光が透過型液晶パネル７の表示領域７ａに入射しても、表示画面に異常な輝度上昇部が発生することなく、位置ずれに起因する表示品質の低下は発生しない。このため、観察者は違和感なく表示装置を使用することができる。
【手続補正９】
【補正対象書類名】図面
【補正対象項目名】図６
【補正方法】変更
【補正の内容】
【図６】
2007071953.tif 000029